(57)【要約】【課題】ユーザの利便性を高めることができる画像処理方法を得る。【解決手段】本発明の画像処理方法は、互いに通信可能な画像処理装置および情報処理端末を含む画像処理システムが、画像処理装置が所定の画像処理を行う際に使用する処理設定情報を取得する第１の処理を行うことと、画像処理システムが、情報処理端末に記憶された、情報処理端末で使用される端末設定情報を取得する第２の処理を行うことと、画像処理システムが、処理設定情報および端末設定情報に基づいて、処理設定情報に対するガイダンス情報を生成する第３の処理を行うことと、画像処理システムが、ガイダンス情報を表示することとを含む。【選択図】図７Ａ
2019164740.tif 000002
【特許請求の範囲】
【請求項１】
互いに通信可能な画像処理装置および情報処理端末を含む画像処理システムが、前記画像処理装置が所定の画像処理を行う際に使用する処理設定情報を取得する第１の処理を行うことと、
前記画像処理システムが、前記情報処理端末に記憶された、前記情報処理端末で使用される端末設定情報を取得する第２の処理を行うことと、
前記画像処理システムが、前記処理設定情報および前記端末設定情報に基づいて、前記処理設定情報に対するガイダンス情報を生成する第３の処理を行うことと、
前記画像処理システムが、前記ガイダンス情報を表示することと
を含む画像処理方法。
【請求項２】
前記処理設定情報は、１または複数のパラメータに関する設定情報を含み、
前記ガイダンス情報は、前記１または複数のパラメータに関する、前記処理設定情報に含まれる設定情報とは異なる設定情報を含む
請求項１に記載の画像処理方法。
【請求項３】
前記第３の処理において、前記画像処理システムは、前記処理設定情報および前記端末設定情報に基づいて、前記ガイダンス情報を生成するかどうかを判断し、その判断結果に基づいて前記ガイダンス情報を生成する
請求項１または請求項２に記載の画像処理方法。
【請求項４】
前記画像処理システムが、前記ガイダンス情報を表示した後に、操作部を用いてユーザの操作を受け付けることと、
前記画像処理装置が、前記処理設定情報を更新し、更新された前記処理設定情報に基づいて前記所定の画像処理を行うことと
をさらに含む
請求項１から請求項３のいずれか一項に記載の画像処理方法。
【請求項５】
前記画像処理装置が、ユーザの操作を受け付ける操作部からの指示に基づいて前記処理設定情報を生成することをさらに含み、
前記所定の画像処理は、印刷処理を含み、
前記処理設定情報は、印刷設定についての情報を含む
請求項１から請求項４のいずれか一項に記載の画像処理方法。
【請求項６】
前記所定の画像処理は、印刷処理を含み、
前記処理設定情報は、前記画像処理装置にあらかじめ記憶された印刷データに含まれる、印刷設定についての情報である
請求項１から請求項４のいずれか一項に記載の画像処理方法。
【請求項７】
前記画像処理装置が、前記印刷データを記憶するサーバから送信された前記印刷データを受信することをさらに含む
請求項６に記載の画像処理方法。
【請求項８】
前記画像処理装置が、ユーザの操作を受け付ける操作部からの指示に基づいて前記処理設定情報を生成することをさらに含み、
前記所定の画像処理は、画像読取処理を含み、
前記処理設定情報は、画像読取設定についての情報を含む
請求項１から請求項４のいずれか一項に記載の画像処理方法。
【請求項９】
前記情報処理端末には、実行されることにより、前記第１の処理、前記第２の処理、および前記第３の処理を行った後に、前記画像処理装置に対して前記所定の画像処理を行うように指示を行う第１のソフトウェアがインストールされた
請求項１から請求項４のいずれか一項に記載の画像処理方法。
【請求項１０】
前記処理設定情報は、前記第１のソフトウェアにおける、前記所定の画像処理の初期設定情報を含む
請求項９に記載の画像処理方法。
【請求項１１】
前記情報処理端末は、前記第１のソフトウェアがインストールされた後に初めて前記第１のソフトウェアを実行したときに、前記第１の処理、前記第２の処理、および前記第３の処理を行う
請求項９または請求項１０に記載の画像処理方法。
【請求項１２】
前記端末設定情報は、前記情報処理端末にインストールされた１または複数の第２のソフトウェアについての情報を含む
請求項９から請求項１１のいずれか一項に記載の画像処理方法。
【請求項１３】
前記端末設定情報は、前記情報処理端末の画面表示に関する設定情報を含む
請求項１から請求項１２のいずれか一項に記載の画像処理方法。
【請求項１４】
前記端末設定情報は、前記情報処理端末に記憶された、その情報処理端末に対応づけられたユーザにより設定された情報を含む
請求項１から請求項１３のいずれか一項に記載の画像処理方法。
【請求項１５】
情報処理端末から前記情報処理端末で使用される端末設定情報を取得する通信部と、
所定の画像処理を行う画像処理部と、
前記画像処理部が前記所定の画像処理を行う際に使用する処理設定情報、および前記端末設定情報に基づいて、前記処理設定情報に対するガイダンス情報を生成する制御部と
を備えた画像処理装置。
【請求項１６】
前記ガイダンス情報を表示する表示部をさらに備えた
請求項１５に記載の画像処理装置。
【請求項１７】
前記通信部は、前記ガイダンス情報を前記情報処理端末に供給する
請求項１５に記載の画像処理装置。
【請求項１８】
画像処理装置が所定の画像処理を行う際に使用する処理設定情報を取得する取得部と、
自らの端末で使用される端末設定情報を記憶する記憶部と、
前記処理設定情報および前記端末設定情報に基づいて、前記処理設定情報に対するガイダンス情報を生成する制御部と
を備えた情報処理端末。
【請求項１９】
前記ガイダンス情報を表示する表示部をさらに備えた
請求項１８に記載の情報処理端末。
【請求項２０】
前記ガイダンス情報を前記画像処理装置に供給する供給部をさらに備えた
請求項１８に記載の情報処理端末。
【発明の詳細な説明】
【技術分野】
【０００１】
本発明は、画像処理を行う画像処理システムにおいて用いられる、画像処理方法、画像処理装置、および情報処理端末に関する。
【背景技術】
【０００２】
画像形成システムでは、しばしば、画像形成装置と、携帯端末が連携して動作するように構成される。例えば、特許文献１には、画像形成装置が、ユーザが操作した内容についての情報を携帯端末に送信し、携帯端末がその操作内容を音声で出力する技術が開示されている。
【先行技術文献】
【特許文献】
【０００３】
【特許文献１】特開２０１６−２２１８３１号公報
【発明の概要】
【発明が解決しようとする課題】
【０００４】
画像処理装置では、ユーザの利便性が高いことが望まれており、さらなる利便性の向上が期待されている。
【０００５】
ユーザの利便性を高めることができる画像処理方法、画像処理装置、および情報処理端末を提供することが望ましい。
【課題を解決するための手段】
【０００６】
本発明の一実施の形態における画像処理方法は、互いに通信可能な画像処理装置および情報処理端末を含む画像処理システムが、画像処理装置が所定の画像処理を行う際に使用する処理設定情報を取得する第１の処理を行うことと、画像処理システムが、情報処理端末に記憶された、情報処理端末で使用される端末設定情報を取得する第２の処理を行うことと、画像処理システムが、処理設定情報および端末設定情報に基づいて、処理設定情報に対するガイダンス情報を生成する第３の処理を行うことと、画像処理システムが、ガイダンス情報を表示することとを含むものである。
【０００７】
本発明の一実施の形態における画像処理装置は、通信部と、画像処理部と、制御部とを備えている。通信部は、情報処理端末から情報処理端末で使用される端末設定情報を取得するものである。画像処理部は、所定の画像処理を行うものである。制御部は、画像処理部が所定の画像処理を行う際に使用する処理設定情報、および端末設定情報に基づいて、処理設定情報に対するガイダンス情報を生成するものである。
【０００８】
本発明の一実施の形態における情報処理端末は、取得部と、記憶部と、制御部とを備えている。通信部は、画像処理装置が所定の画像処理を行う際に使用する処理設定情報を取得するものである。記憶部は、自らの端末で使用される端末設定情報を記憶するものである。制御部は、処理設定情報および端末設定情報に基づいて、処理設定情報に対するガイダンス情報を生成するものである。
【発明の効果】
【０００９】
本発明の一実施の形態における画像処理方法、画像処理装置、および情報処理端末によれば、処理設定情報および端末設定情報に基づいて、処理設定情報に対するガイダンス情報を生成するようにしたので、ユーザの利便性を高めることができる。
【図面の簡単な説明】
【００１０】
【図１】第１の実施の形態に係る画像処理システムの一構成例を表すブロック図である。
【図２】ユーザ設定情報の一構成例を表す表である。
【図３】図１に示したリスク抽出リストの一構成例を表す表である。
【図４】図１に示した要求判定リストの一構成例を表す表である。
【図５】図１に示したガイダンスリストの一構成例を表す表である。
【図６】ユーザ設定情報の一例を表す表である。
【図７Ａ】図１に示した画像処理システムの一動作例を表すシーケンス図である。
【図７Ｂ】図１に示した画像処理システムの一動作例を表す他のシーケンス図である。
【図８Ａ】図１に示した画像処理システムの一動作例を表す説明図である。
【図８Ｂ】図１に示した画像処理システムの一動作例を表す他の説明図である。
【図８Ｃ】図１に示した画像処理システムの一動作例を表す他の説明図である。
【図９】図１に示した画像処理システムの一動作例を表す画像図である。
【図１０】図１に示した画像処理システムの一動作例を表す他の画像図である。
【図１１】ユーザ設定情報の他の例を表す表である。
【図１２】図１に示した画像処理システムの一動作例を表す他の画像図である。
【図１３】ユーザ設定情報の他の例を表す表である。
【図１４】図１に示した画像処理システムの一動作例を表す他の画像図である。
【図１５】図１に示した画像処理システムの一動作例を表す他の画像図である。
【図１６】図１に示した画像処理システムの一動作例を表す他の画像図である。
【図１７】第１の実施の形態の変形例に係る画像処理システムの一動作例を表すシーケンス図である。
【図１８】第２の実施の形態に係る画像処理システムの一構成例を表すブロック図である。
【図１９Ａ】図１８に示した画像処理システムの一動作例を表すシーケンス図である。
【図１９Ｂ】図１８に示した画像処理システムの一動作例を表す他のシーケンス図である。
【図２０】図１８に示した画像処理システムの一動作例を表す画像図である。
【図２１】第３の実施の形態に係る画像処理システムの一構成例を表すブロック図である。
【図２２】図２１に示した画像処理装置および携帯端末の一構成例を表すブロック図である。
【図２３Ａ】図２２に示した画像処理システムの一動作例を表すシーケンス図である。
【図２３Ｂ】図２２に示した画像処理システムの一動作例を表す他のシーケンス図である。
【図２３Ｃ】図２２に示した画像処理システムの一動作例を表す他のシーケンス図である。
【図２４】一実施の形態に係る画像処理システムの一構成例を表すブロック図である。
【図２５】第４の実施の形態に係るユーザ設定情報の一構成例を表す表である。
【図２６】初期設定情報の一構成例を表す表である。
【図２７】第４の実施の形態に係る画像処理システムの一動作例を表すフローチャートである。
【図２８】第４の実施の形態に係るガイダンス情報生成部の一動作例を表すフローチャートである。
【図２９】第４の実施の形態に係るガイダンス情報生成部の一動作例を表す表である。
【図３０】第４の実施の形態に係る画像処理システムの一動作例を表す画像図である。
【図３１】第４の実施の形態に係る画像処理システムの一動作例を表すシーケンス図である。
【図３２】第４の実施の形態の変形例に係る画像処理システムの一動作例を表すフローチャートである。
【図３３】第４の実施の形態の他の変形例に係る画像処理システムの一動作例を表す画像図である。
【図３４】第４の実施の形態の他の変形例に係る画像処理システムの一動作例を表す他の画像図である。
【図３５】第５の実施の形態に係るユーザ設定情報の一構成例を表す表である。
【図３６Ａ】第５の実施の形態に係るガイダンス情報生成部の一動作例を表すフローチャートである。
【図３６Ｂ】第５の実施の形態に係るガイダンス情報生成部の一動作例を表す他のフローチャートである。
【図３６Ｃ】第５の実施の形態に係るガイダンス情報生成部の一動作例を表す他のフローチャートである。
【図３７】第５の実施の形態の他の変形例に係る画像処理システムの一動作例を表す画像図である。
【図３８】第６の実施の形態に係る画像処理システムの一構成例を表すブロック図である。
【図３９】第６の実施の形態に係るガイダンス情報生成部の一動作例を表すフローチャートである。
【図４０】第６の実施の形態の他の変形例に係る画像処理システムの一動作例を表す画像図である。
【発明を実施するための形態】
【００１１】
以下、本発明の実施の形態について、図面を参照して詳細に説明する。なお、説明は以下の順序で行う。
１．第１の実施の形態
２．第２の実施の形態
３．第３の実施の形態
４．第４の実施の形態
５．第５の実施の形態
６．第６の実施の形態
【００１２】
＜１．第１の実施の形態＞
［構成例］
図１は、本発明の第１の実施の形態に係る画像処理方法が用いられる画像処理システム１の一構成例を表すものである。画像処理装置および情報処理端末は、本実施の形態により具現化されるので、併せて説明する。画像処理システム１は、画像処理装置１０と、携帯端末２０とを備えている。
【００１３】
画像処理装置１０は、コピー機能、ファックス機能、スキャン機能、プリント機能などを有する、いわゆる多機能周辺装置（ＭＦＰ；Multi  Function Peripheral）である。画像処理装置１０は、携帯端末２０との間で、近距離無線通信（ＮＦＣ；Near Field Communication）ＷＮＦＣを行うとともに、無線ＬＡＮ（Local Area Network）を用いて無線ネットワーク通信ＷＬＡＮを行う機能を有している。
【００１４】
携帯端末２０は、この例では、いわゆるスマートフォンである。なお、これに限定されるものではなく、これに代えて、例えば、タブレット端末、ノート型パーソナルコンピュータ、携帯電話、各種ウェアラブル端末であってもよい。携帯端末２０は、画像処理装置１０との間で、近距離無線通信ＷＮＦＣを行うとともに、無線ＬＡＮを用いて無線ネットワーク通信ＷＬＡＮを行う機能を有している。
【００１５】
この構成により、画像処理システム１では、ユーザが携帯端末２０を画像処理装置１０にかざしてログインした後に、ユーザが画像処理装置１０を操作することによりジョブを投入した場合に、画像処理装置１０は、投入されたジョブの設定についての情報（後述するジョブ設定情報ＩＪ）を無線ネットワーク通信ＷＬＡＮにより携帯端末２０に供給する。携帯端末２０は、このジョブ設定情報ＩＪと、この携帯端末２０におけるユーザ設定についての情報（後述するユーザ設定情報ＩＵおよびコンタクトリストＣＬ）とに基づいて、ユーザに提供する情報（後述するガイダンス情報ＩＧ）を生成し、このガイダンス情報ＩＧを表示操作部に表示する。このガイダンス情報ＩＧは、例えば、ジョブ設定情報ＩＪの代替案となりえる設定についての情報を含んでいる。ユーザがそのガイダンス情報ＩＧが示す提案に従う場合には、携帯端末２０は、ユーザ操作に基づいて、そのガイダンス情報ＩＧに応じたジョブ設定情報ＩＪ２を生成し、このジョブ設定情報ＩＪ２を無線ネットワーク通信ＷＬＡＮにより画像処理装置１０に供給する。そして、画像処理装置１０は、このジョブ設定情報ＩＪ２に基づいて、投入されたジョブを実行するようになっている。
【００１６】
（画像処理装置１０）
図１に示したように、画像処理装置１０は、無線ネットワーク通信部１１と、ＮＦＣリーダライタ１２と、ＦＡＸ通信部１３と、表示操作部１４と、画像読取部１５と、画像形成部１６と、制御部１７とを有している。
【００１７】
無線ネットワーク通信部１１は、携帯端末２０との間で、無線ＬＡＮにより無線ネットワーク通信ＷＬＡＮを行うものである。
【００１８】
ＮＦＣリーダライタ１２は、近距離無線通信ＷＮＦＣを用いて、携帯端末２０のＮＦＣ通信部２２（後述）の記憶部に対して情報を書き込み、あるいはこのＮＦＣ通信部２２の記憶部から情報を読み出すことにより、ＮＦＣ通信部２２との間で情報のやりとりを行うものである。
【００１９】
ＦＡＸ通信部１３は、電話回線を介して通信相手との間でＦＡＸデータを送受信するものである。
【００２０】
表示操作部１４は、ユーザの操作を受け付けるとともに、画像処理装置１０の動作状態などを表示するものであり、例えば、タッチパネル、各種ボタン、液晶ディスプレイ、各種インジケータなどを用いて構成されるものである。
【００２１】
画像読取部１５は、原稿媒体に形成された画像を読み取るものである。画像読取部１５は、例えば、ＡＤＦ（Auto Document Feeder）を含んで構成される。画像読取部１５は、原稿読取面に直接セットされ、あるいはＡＤＦにセットされた原稿媒体に形成された画像を読み取ることにより、画像データ（読取データ）を生成するようになっている。
【００２２】
画像形成部１６は、紙などの記録媒体に白黒画像やカラー画像を形成するものである。具体的には、画像形成部１６は、例えば、携帯端末２０や図示しないパーソナルコンピュータから供給された印刷データ、ＦＡＸ通信部１３が受信したＦＡＸデータ、および画像読取部１５により生成された読取データに基づいて、記録媒体に画像を形成するようになっている。
【００２３】
制御部１７は、画像処理装置１０における動作を制御するものである。制御部１７は、例えばＣＰＵ（Central Processing Unit）、ＲＡＭ（Random Access Memory）、不揮発性のメモリなどを用いて構成される。また、制御部１７は、ユーザがジョブを投入したときに、ジョブ設定情報ＩＪを生成する機能を有している。ジョブ設定情報ＩＪは、ジョブの設定についての情報である。
【００２４】
具体的には、例えば、コピージョブの場合には、ジョブ設定情報ＩＪは、“部数”、“倍率”、“集約率”、“ドキュメントタイプ”、“色補正”，“濃度”、“コントラスト”などの設定についての情報を含んでいる。“部数”は、記録媒体に画像を形成することにより生成する印刷物のセット数を示すものである。“倍率”は、拡大コピーあるいは縮小コピーを行う際のスケーリングファクタを示すものである。“集約率”は、１ページ分の記録媒体に配置する原稿媒体のページ数を示すものであり、例えば“通常”、“２ＵＰ”、“４ＵＰ”などのうちのいずれかに設定される。例えば、“通常”は、１ページ分の記録媒体に１ページ分の原稿媒体の画像を配置することを示し、“２ＵＰ”は、１ページ分の記録媒体に２ページ分の原稿媒体の画像を配置することを示し、“４ＵＰ”は、１ページ分の記録媒体に４ページ分の原稿媒体の画像を配置することを示す。“ドキュメントタイプ”は、コピーすべき情報の内容を示すものであり、例えば、“文字”、“写真”、“文字／写真”などのうちのいずれかに設定される。“ドキュメントタイプ”が“文字”に設定された場合には、画像処理装置１０は、文字のみを含む画像に最適化された画像処理を行う。“ドキュメントタイプ”が“写真”に設定された場合には、画像処理装置１０は、写真のみを含む画像に最適化された画像処理を行う。また、“ドキュメントタイプ”が“文字／写真”に設定された場合には、画像処理装置１０は、文字および写真の両方を含む画像に最適化された画像処理を行う。“色補正”は、記録媒体にカラー画像を形成する場合における色の補正処理を示すものであり、例えば“色弱補正”についての設定情報を含んでいる。この“色弱補正”は、例えば“ＯＦＦ”、“第１色弱補正”、“第２色弱補正”，“第３色弱補正”などのうちのいずれかに設定される。“第１色弱補正”、“第２色弱補正”、“第３色弱補正”の設定は、色補正の方法が互いに異なるものであり、色弱であるユーザは、これらの３つの設定のうちの自分に合った設定を選択することができるようになっている。“濃度”は、記録媒体に画像を形成する際の現像剤の濃度を示すものであり、例えば“−３”から“＋３”の範囲で設定される。“コントラスト”は、記録媒体に画像を形成する際の画像のコントラストを示すものであり、例えば“−３”から“＋３”の範囲で設定される。
【００２５】
また、例えば、スキャンジョブの場合には、ジョブ設定情報ＩＪは、“解像度”、“色補正”、“濃度”などの設定についての情報を含んでいる。“解像度”は、画素の密度を示すものであり、例えば“１００ｄｐｉ×１００ｄｐｉ”、“２００ｄｐｉ×２００ｄｐｉ”、“３００ｄｐｉ×３００ｄｐｉ”などのうちのいずれか１つに設定される。“色補正”は、原稿媒体に形成されたカラー画像を読み取り、画像データを生成する場合における色の補正処理を示すものであり、コピージョブの場合と同様に、例えば“色弱補正”についての設定情報を含んでいる。“濃度”は、原稿媒体に形成された画像を読み取り、画像データを生成する場合における画像の濃度を示すものであり、例えば“−３”から“＋３”の範囲で設定される。
【００２６】
また、例えば、ＦＡＸ送信ジョブの場合には、ジョブ設定情報ＩＪは、“解像度”、“濃度”、“宛先指定”などの設定についての情報を含んでいる。“解像度”および“濃度”は、スキャンジョブの場合と同様である。“宛先指定”は、ＦＡＸ送信の宛先を指定する方法を示すものであり、例えば“短縮番号”に対応するフラグ情報、“ＦＡＸ番号直接入力”に対応するフラグ情報などのうちのいずれか１つに設定される。“短縮番号”は、画像処理装置１０にあらかじめ設定された短縮番号を用いて宛先を指定した場合に設定される。“ＦＡＸ番号直接入力”は、ＦＡＸ番号を直接入力することにより宛先を指定した場合に設定される。“宛先指定”において“ＦＡＸ番号直接入力”が設定された場合には、ジョブ設定情報ＩＪは、宛先のＦＡＸ番号についての情報をも含んでいる。
【００２７】
制御部１７は、ＲＡＭ１７Ａと、ジョブ設定情報送受信部１７Ｂとを有している。
【００２８】
ＲＡＭ１７Ａは、画像処理装置１０が動作する際に使用する様々な情報を一時的に記憶するものである。例えば、ＲＡＭ１７Ａは、制御部１７が生成したジョブ設定情報ＩＪを記憶するようになっている。
【００２９】
ジョブ設定情報送受信部１７Ｂは、無線ネットワーク通信部１１を介して、ＲＡＭ１７Ａが記憶しているジョブ設定情報ＩＪを、無線ネットワーク通信ＷＬＡＮを用いて携帯端末２０に送信するとともに、無線ネットワーク通信部１１を介して、携帯端末２０から無線ネットワーク通信ＷＬＡＮを用いて送信されたジョブ設定情報ＩＪ２を受信するものである。
【００３０】
（携帯端末２０）
携帯端末２０は、無線ネットワーク通信部２１と、ＮＦＣ通信部２２と、電話通信部２３と、表示操作部２４と、音声入出力部２５と、記憶部２６と、制御部２７とを有している。
【００３１】
無線ネットワーク通信部２１は、画像処理装置１０との間で、無線ＬＡＮにより無線ネットワーク通信ＷＬＡＮを行うものである。
【００３２】
ＮＦＣ通信部２２は、情報を記憶する記憶部を有し、近距離無線通信ＷＮＦＣを用いて画像処理装置１０のＮＦＣリーダライタ１２により情報を書き込まれ、あるいは情報が読み出されることにより、ＮＦＣリーダライタ１２との間で情報のやり取りを行うものである。ＮＦＣ通信部２２は、例えば、携帯端末２０の識別子（端末識別子ＩＤ）を記憶しており、画像処理装置１０のＮＦＣリーダライタ１２により、近距離無線通信ＷＮＦＣを用いてこの端末識別子ＩＤが読み取られるようになっている。
【００３３】
電話通信部２３は、携帯電話の基地局を介して、通信相手との間で無線通信を行うものである。
【００３４】
表示操作部２４は、ユーザの操作を受け付けるとともに、携帯端末２０の動作状態などを表示するものであり、例えば、タッチパネル、各種ボタン、液晶ディスプレイ、各種インジケータなどを用いて構成されるものである。
【００３５】
音声入出力部２５は、音を電気信号に変換し、あるいは電気信号を音に変換するものであり、マイクおよびスピーカを用いて構成されるものである。
【００３６】
記憶部２６は、不揮発性のメモリを用いて構成される。記憶部２６は、コンタクトリストＣＬと、ユーザ設定情報ＩＵと、リスク抽出リストＬ１と、要求判定リストＬ２と、ガイダンスリストＬ３とを記憶している。
【００３７】
コンタクトリストＣＬは、いわゆるアドレス帳データであり、例えば１または複数の人の名前、電話番号、Ｅメールアドレス、ＦＡＸ番号などについての情報を含むものである。コンタクトリストＣＬは、例えばユーザが携帯端末２０を使用しやすくするために設定するものであり、いわゆるユーザ設定に係るものである。
【００３８】
ユーザ設定情報ＩＵは、例えば、この携帯端末２０を使用するユーザが携帯端末２０を使用しやすくするために設定した情報である。
【００３９】
図２は、ユーザ設定情報ＩＵの一例を表すものである。ユーザ設定情報ＩＵは、例えば、“文字サイズ”、“シンプル操作モード”、“高コントラストテキスト”、“色補正（色弱設定）”などの様々なユーザ設定項目（パラメータ）についての設定値を含んでいる。
【００４０】
“文字サイズ”は、携帯端末２０の表示操作部２４に表示される文字のサイズを示し、この例では“中”に設定されている。この“文字サイズ”は、例えば、“大”、“中”、“小”のいずれかに設定される。
【００４１】
“シンプル操作モード”は、表示操作部２４に表示されるアイコンや文字を大きくすることにより、例えばユーザが高齢者である場合にそのユーザが操作しやすくすることができるモードを示し、この例では“ＯＦＦ”に設定されている。この“シンプル操作モード”は、例えば、“ＯＮ”、“ＯＦＦ”のいずれかに設定される。
【００４２】
“高コントラストテキスト”は、表示操作部２４に表示される文字を縁取りするなど、文字を強調して表示することにより、ユーザが文字（テキスト）を読みやすくすることができるモードを示し、この例では“ＯＦＦ”に設定されている。この“高コントラストテキスト”は、例えば、“ＯＮ”、“ＯＦＦ”のいずれかに設定される。
【００４３】
“色補正（色弱設定）”は、表示操作部２４に表示される画像の色を補正することにより、色弱のユーザが表示画像を見やすくすることができる設定を示し、この例では“ＯＦＦ”に設定されている。この“色補正（色弱設定）”は、例えば、“ＯＦＦ”、“第１色弱補正”、“第２色弱補正”、“第３色弱補正”のいずれかに設定される。
【００４４】
リスク抽出リストＬ１（図１）は、ユーザが直面し得るリスクの要素（リスク要素）と、そのようなリスクがあるジョブ設定条件との関係についての情報を含むものである。
【００４５】
図３は、リスク抽出リストＬ１の一構成例を表すものである。この例では、リスク要素は、“文字が小さい”、“文字が不明瞭”、“第１色弱”、“第２色弱”、“第３色弱”、“ＦＡＸ誤送信”などの様々な要素を含んでいる。図３において、“○”は、リスク要素とジョブ設定とが対応づけられていることを示す。
【００４６】
例えば、リスク要素における“文字が小さい”は、“集約数”が“４ＵＰ”以上に設定された“集約コピー”に対応づけられるとともに、“倍率”が“５０％”以下に設定された“縮小コピー”に対応づけられている。すなわち、この対応づけは、例えば、画像処理装置１０が“集約コピー”を行う際に、ジョブ設定において、“集約数”が“４ＵＰ”以上に設定されている場合に、“文字が小さい”というリスク要素があり、同様に、画像処理装置１０が“縮小コピー”を行う際に、ジョブ設定において、“倍率”が“５０％”以下に設定されている場合に、“文字が小さい”というリスク要素があることを示している。
【００４７】
また、リスク要素における“文字が不明瞭”は、“ドキュメントタイプ”が“文字／写真”であり、“濃度”が０以下であり、“コントラスト”が０以下に設定された“コピー”に対応づけられている。すなわち、この対応づけは、例えば、画像処理装置１０が“コピー”を行う際に、ジョブ設定において、“ドキュメントタイプ”が“文字／写真”であり、“濃度”が０以下であり、“コントラスト”が０以下に設定されている場合に、“文字が不明瞭”というリスク要素があることを示している。
【００４８】
また、リスク要素における“第１色弱”は、“色弱補正”が“ＯＦＦ”に設定された“カラーコピー”および“カラースキャン”、“色弱補正”が“第２色弱補正”に設定された“カラーコピー”および“カラースキャン”、“色弱補正”が“第３色弱補正”に設定された“カラーコピー”および“カラースキャン”に対応づけられている。すなわち、この対応づけは、例えば、画像処理装置１０が“カラーコピー”を行う際に、ジョブ設定において、“色弱補正”がＯＦＦ、“第２色弱補正”、“第３色弱補正”のいずれかに設定されている場合に、“第１色弱”というリスク要素があることを示している。“カラースキャン”の場合についても同様である。
【００４９】
また、リスク要素における“第２色弱”は、“色弱補正”が“ＯＦＦ”に設定された“カラーコピー”および“カラースキャン”、“色弱補正”が“第１色弱補正”に設定された“カラーコピー”および“カラースキャン”、“色弱補正”が“第３色弱補正”に設定された“カラーコピー”および“カラースキャン”に対応づけられている。
【００５０】
また、リスク要素における“第３色弱”は、“色弱補正”が“ＯＦＦ”に設定された“カラーコピー”および“カラースキャン”、“色弱補正”が“第１色弱補正”に設定された“カラーコピー”および“カラースキャン”、“色弱補正”が“第２色弱補正”に設定された“カラーコピー”および“カラースキャン”に対応づけられている。
【００５１】
また、リスク要素である“ＦＡＸ誤送信”は、“宛先指定”が“ＦＡＸ番号直接入力”に設定された“ＦＡＸ送信”に対応づけられている。すなわち、この対応付けは、例えば、画像処理装置１０が“ＦＡＸ送信”を行う際に、ジョブ設定において、“宛先指定”が“ＦＡＸ番号直接入力”に設定されている場合に、“ＦＡＸ誤送信”というリスク要素があることを示している。
【００５２】
これらのリスク要素のそれぞれは、要求要素に対応づけられている。すなわち、図３に示したように、リスク要素である“文字が小さい”は、要求要素である“文字を大きく”に対応づけられ、リスク要素である“文字が不明瞭”は、要求要素である“文字を強調”に対応づけられ、リスク要素である“第１色弱”，“第２色弱”，“第３色弱”は、要求要素である“第１色弱補正”，“第２色弱補正”，“第３色弱補正”にそれぞれ対応づけられており、リスク要素である“ＦＡＸ誤送信”は、要求要素である“ＦＡＸ番号確認”に対応づけられている。
【００５３】
要求判定リストＬ２（図１）は、このような要求要素と、そのような要求要素が示す要求が生じるであろう、携帯端末２０におけるユーザ設定との関係についての情報を含むものである。
【００５４】
図４は、要求判定リストＬ２の一構成例を表すものである。この例では、要求要素は、“文字を大きく”、“文字を強調”、“第１色弱補正”、“第２色弱補正”、“第３色弱補正”、“ＦＡＸ番号確認”などの様々な要素を含んでいる。図４において、“○”は、要求要素とユーザ設定とが対応づけられていることを示す。
【００５５】
例えば、要求要素である“文字を大きく”は、ユーザ設定情報ＩＵにおける“文字サイズ”が“大”であること、およびユーザ設定情報ＩＵにおける“シンプル操作モード”が“ＯＮ”であることに対応づけられている。すなわち、この対応づけは、例えば、ユーザ設定情報ＩＵにおいて、“文字サイズ”が“大”に設定されている場合に、文字を大きくすべきという要求要素があることを示し、同様に、ユーザ設定情報ＩＵにおいて、“シンプル操作モード”が“ＯＮ”に設定されている場合に、文字を大きくすべきという要求要素があることを示している。
【００５６】
また、要求要素である“文字を強調”は、ユーザ設定情報ＩＵにおける“シンプル操作モード”が“ＯＮ”であること、およびユーザ設定情報ＩＵにおける“高コントラストテキスト”が“ＯＮ”であることに対応づけられている。すなわち、この対応づけは、例えば、ユーザ設定情報ＩＵにおいて、“シンプル動作モード”が“ＯＮ”に設定されている場合に、文字を強調すべきという要求要素があることを示し、同様に、ユーザ設定情報ＩＵにおいて、“高コントラストテキスト”が“ＯＮ”に設定されている場合に、文字を強調すべきという要求要素があることを示している。
【００５７】
また、要求要素である“第１色弱補正”は、ユーザ設定情報ＩＵにおける“色補正（色弱設定）”が“第１色弱補正”であることに対応づけられている。すなわち、この対応づけは、例えば、ユーザ設定情報ＩＵにおいて、“色補正（色弱設定）”が“第１色弱補正”に設定されている場合に、第１色弱補正を行うべきという要求要素があることを示している。
【００５８】
また、要求要素である“第２色弱補正”は、ユーザ設定情報ＩＵにおける“色補正（色弱設定）”が“第２色弱補正”であることに対応づけられている。
【００５９】
また、要求要素である“第３色弱補正”は、ユーザ設定情報ＩＵにおける“色補正（色弱設定）”が“第３色弱補正”であることに対応づけられている。
【００６０】
また、要求要素である“ＦＡＸ誤送信防止”は、ユーザ設定に係るコンタクトリストＣＬにおいてＦＡＸ番号が“登録”されていることに対応づけられている。すなわち、この対応づけは、例えば、コンタクトリストＣＬにおいて、ＦＡＸ番号が登録されている場合に、ＦＡＸ番号を確認すべきという要求要素があることを示している。
【００６１】
ガイダンスリストＬ３（図１）は、要求要素と、ジョブ設定と、ユーザに提供する情報（ガイダンス情報ＩＧ）との関係についての情報を含むものである。
【００６２】
図５は、ガイダンスリストＬ３の一構成例を表すものである。
【００６３】
例えば、“文字を大きく”すべき旨の要求要素、“集約数”が“４ＵＰ”以上である旨のジョブ設定、および“集約数”を“２ＵＰ”以下にすべき旨のガイダンス情報ＩＧは、互いに対応づけられている。すなわち、この対応付けは、例えば、文字を大きくすべきことが要求されており、かつ、ジョブ設定において、“集約数”が“４ＵＰ”以上に設定されている場合には、 ガイダンス情報ＩＧが、“集約数”を“２ＵＰ”以下にすべき旨の情報を含むことを示している。
【００６４】
また、“文字を大きく”すべき旨の要求要素、“倍率”が“５０％”以下である旨のジョブ設定、および“倍率”を“６０％”以上にすべき旨のガイダンス情報ＩＧは、互いに対応づけられている。すなわち、この対応付けは、例えば、文字を大きくすべきことが要求されており、かつ、ジョブ設定において、“倍率”が“５０％”以下に設定されている場合には、 ガイダンス情報ＩＧが、“倍率”を“６０％”以上にすべき旨の情報を含むことを示している。
【００６５】
また、“文字を強調”すべき旨の要求要素、“ドキュメントタイプ”が“文字／写真”であり“濃度”が“０以下”であり“コントラスト”が“０以下”である旨のジョブ設定、および“ドキュメントタイプ”を“文字”にし“濃度”を“＋１”にし“コントラスト”を“＋２”にすべき旨のガイダンス情報ＩＧは、互いに対応づけられている。すなわち、この対応付けは、例えば、文字を強調すべきことが要求されており、かつ、ジョブ設定において、ドキュメントタイプが“文字／写真”に設定され、濃度が“０以下”に設定され、かつ、コントラストが“０以下”に設定されている場合には、ガイダンス情報ＩＧが、ドキュメントタイプを“文字”に設定し、濃度を“＋１”に設定し、かつ、コントラストを“＋２”に設定すべき旨の情報を含むことを示している。
【００６６】
また、“第１色弱補正”を行うべき旨の要求要素、“色弱補正”が“第１色弱補正”以外である旨のジョブ設定、および“色弱補正”を“第１色弱補正”にすべき旨のガイダンス情報ＩＧは、互いに対応づけられている。すなわち、この対応付けは、例えば、“第１色弱補正”を行うことが要求されており、かつジョブ設定において“第１色弱補正”以外が設定されている場合には、 ガイダンス情報ＩＧが、“第１色弱補正”を行うべき旨の情報を含むことを示している。
【００６７】
また、“第２色弱補正”を行うべき旨の要求要素、“色弱補正”が“第２色弱補正”以外である旨のジョブ設定、および“色弱補正”を“第２色弱補正”にすべき旨のガイダンス情報ＩＧは、互いに対応づけられている。
【００６８】
また、“第３色弱補正”を行うべき旨の要求要素、“色弱補正”が“第３色弱補正”以外である旨のジョブ設定、および“色弱補正”を“第３色弱補正”にすべき旨のガイダンス情報ＩＧは、互いに対応づけられている。
【００６９】
また、“ＦＡＸ番号確認”を行うべき旨の要求要素、“宛先指定”がＦＡＸ番号直接入力”である旨のジョブ設定、および“コンタクトリストＣＬの検索結果”を示すガイダンス情報ＩＧは、互いに対応づけられている。すなわち、この対応付けは、“ＦＡＸ番号確認”を行うことが要求されており、かつ、ジョブ設定条件においてＦＡＸ番号が直接指定されている場合には、ガイダンス情報ＩＧが、コンタクトリストＣＬにおいてそのＦＡＸ番号を検索した結果についての情報を含むことを示している。
【００７０】
制御部２７（図１）は、携帯端末２０における動作を制御するものである。制御部２７は、例えばＣＰＵ、ＲＡＭ、不揮発性のメモリなどを用いて構成される。制御部２７は、ジョブ設定情報送受信部２７Ａと、ガイダンス情報生成部２７Ｂとを有している。
【００７１】
ジョブ設定情報送受信部２７Ａは、無線ネットワーク通信部２１を介して、画像処理装置１０から無線ネットワーク通信ＷＬＡＮを用いて送信されたジョブ設定情報ＩＪを受信するとともに、無線ネットワーク通信部２１を介して、生成したジョブ設定情報ＩＪ２を、無線ネットワーク通信ＷＬＡＮを用いて画像処理装置１０に送信するものである。
【００７２】
ガイダンス情報生成部２７Ｂは、ジョブ設定情報送受信部２７Ａが受信したジョブ設定情報ＩＪ、ユーザ設定情報ＩＵ、およびコンタクトリストＣＬに基づいて、リスク抽出リストＬ１、要求判定リストＬ２、およびガイダンスリストＬ３を用いて、ガイダンス情報ＩＧを生成するものである。
【００７３】
携帯端末２０は、ガイダンス情報生成部２７Ｂが生成したガイダンス情報ＩＧをユーザに提供する。そして、ユーザが、そのガイダンス情報ＩＧが示す提案に従う場合には、制御部２７は、このガイダンス情報ＩＧに応じたジョブ設定情報ＩＪ２を生成するようになっている。
【００７４】
ここで、画像処理装置１０は、本発明における「画像処理装置」の一具体例に対応する。携帯端末２０は、本発明における「情報処理端末」の一具体例に対応する。無線ネットワーク通信部２１は、本発明における「取得部」および「供給部」の一具体例に対応する。記憶部２６は、本発明における「記憶部」の一具体例に対応する。制御部２７は、本発明における「制御部」の一具体例に対応する。ジョブ設定情報ＩＪは、本発明における「処理設定情報」の一具体例に対応する。ユーザ設定情報ＩＵおよびコンタクトリストＣＬは、本発明における「端末設定情報」の一具体例に対応する。
【００７５】
［動作および作用］
続いて、本実施の形態の画像処理システム１の動作および作用について説明する。
【００７６】
（全体動作概要）
まず、図１を参照して、画像処理システム１の全体動作概要を説明する。ユーザが携帯端末２０を画像処理装置１０のＮＦＣリーダライタ１２にかざすと、画像処理装置１０および携帯端末２０は近距離無線通信ＷＮＦＣを行い、画像処理装置１０はログイン認証を行う。そして、ログイン認証が成功すると、画像処理装置１０および携帯端末２０は無線ネットワーク通信ＷＬＡＮを確立する。そして、ユーザが画像処理装置１０を操作することによりジョブを投入すると、画像処理装置１０は、投入されたジョブの設定についての情報（ジョブ設定情報ＩＪ）を生成し、このジョブ設定情報ＩＪを無線ネットワーク通信ＷＬＡＮにより携帯端末２０に供給する。携帯端末２０は、このジョブ設定情報ＩＪと、この携帯端末２０におけるユーザ設定についての情報（ユーザ設定情報ＩＵおよびコンタクトリストＣＬ）とに基づいて、ユーザに提供する情報（ガイダンス情報ＩＧ）を生成し、このガイダンス情報ＩＧを表示操作部２４に表示する。例えば、ユーザがそのガイダンス情報ＩＧが示す提案に従う場合には、携帯端末２０は、ユーザ操作に基づいて、そのガイダンス情報ＩＧに応じたジョブ設定情報ＩＪ２を生成し、このジョブ設定情報ＩＪ２を無線ネットワーク通信ＷＬＡＮにより画像処理装置１０に供給する。そして、画像処理装置１０は、このジョブ設定情報ＩＪ２に基づいて、投入されたジョブを実行する。
【００７７】
（詳細動作）
以下に、画像処理装置１０がコピージョブを行う場合（ケースＣ１，Ｃ２）、カラーコピージョブを行う場合（ケースＣ３）、ＦＡＸ送信ジョブを行う場合（ケースＣ４）を例に挙げて、画像処理システム１の一動作例について説明する。
【００７８】
（ケースＣ１）
まず、画像処理装置１０がコピージョブを行う場合について説明する。この例では、ユーザは、画像処理装置１０を操作することにより、“集約数”が“４ＵＰ”であるコピージョブを投入する。また、この例では、携帯端末２０のユーザ設定情報ＩＵでは、図６に示すように、“文字サイズ”が“大”に設定され、“シンプル操作モード”が“ＯＮ”に設定されている。
【００７９】
図７Ａ，７Ｂは、コピージョブを行う場合における画像処理システム１の一動作例を表すものである。図７Ａ，７Ｂにおいて、ユーザの操作を括弧内に示している。
【００８０】
まず、ユーザが、携帯端末２０を、画像処理装置１０のＮＦＣリーダライタ１２にかざすと、画像処理装置１０および携帯端末２０は互いに近距離無線通信ＷＮＦＣを行い、携帯端末２０は、画像処理装置１０に対してログイン認証要求を行う（ステップＳ１０１）。そして、画像処理装置１０は、ログイン認証処理を行う（ステップＳ１０２）。具体的には、画像処理装置１０のＮＦＣリーダライタ１２は、携帯端末２０のＮＦＣ通信部２２に記憶された端末識別子ＩＤを読み取る。そして、制御部１７は、この端末識別子ＩＤを用いて、図示しないユーザデータベースを用いてログイン認証処理を行う。そして、ログイン認証が成功した場合には、画像処理装置１０は、近距離無線通信ＷＮＦＣを用いて、携帯端末２０に対してログイン認証完了通知を行う（ステップＳ１０３）。
【００８１】
そして、携帯端末２０は、ログイン認証が完了したことをユーザに通知する（ステップＳ１０４）。具体的には、例えば、携帯端末２０の表示操作部２４が、ログイン認証が完了したことを表示するとともに、携帯端末２０の音声入出力部２５が、ログイン認証が完了した旨の音声情報を出力する。
【００８２】
そして、画像処理装置１０および携帯端末２０は、無線ネットワーク通信ＷＬＡＮを確立する（ステップＳ１０５）。
【００８３】
次に、ユーザが、画像処理装置１０の画像読取部１５に原稿媒体をセットするとともに、表示操作部１４を操作することにより、コピージョブのジョブ設定を入力する。このジョブ設定において、ユーザは、“集約数”を“４ＵＰ”に設定する。そして、ユーザは、表示操作部１４の開始キーを操作する。画像処理装置１０の制御部１７は、ユーザが入力したジョブ設定に基づいて、ジョブ設定情報ＩＪを生成し、このジョブ設定情報ＩＪをＲＡＭ１７Ａに記憶する（ステップＳ１０６）。このジョブ設定情報ＩＪは、コピージョブである旨、および“集約数”が“４ＵＰ”である旨の情報を含んでいる。
【００８４】
次に、画像処理装置１０は、このジョブ設定情報ＩＪを携帯端末２０に供給する（ステップＳ１０７）。具体的には、画像処理装置１０のジョブ設定情報送受信部１７Ｂは、無線ネットワーク通信部１１を介して、ジョブ設定情報ＩＪを、無線ネットワーク通信ＷＬＡＮを用いて携帯端末２０に送信する。携帯端末２０のジョブ設定情報送受信部２７Ａは、無線ネットワーク通信部２１を介して、画像処理装置１０から無線ネットワーク通信ＷＬＡＮを用いて送信されたジョブ設定情報ＩＪを受信する。
【００８５】
次に、携帯端末２０のガイダンス情報生成部２７Ｂは、ジョブ設定情報ＩＪに基づいて、リスク抽出リストＬ１を用いて、リスク要素を抽出する（ステップＳ１０８）。具体的には、ガイダンス情報生成部２７Ｂは、リスク抽出リストＬ１（図３）を用いて、ジョブ設定情報ＩＪに含まれるジョブ設定が対応づけられているリスク要素を抽出する。
【００８６】
この例では、ジョブ設定情報ＩＪは、コピージョブである旨、および“集約数”が“４ＵＰ”である旨の情報を含んでいるので、ガイダンス情報生成部２７Ｂは、図８Ａに示したように、リスク要素である“文字が小さい”を抽出する。
【００８７】
なお、この例では、ガイダンス情報生成部２７Ｂはリスク要素を抽出したが、例えば、リスク抽出リストＬ１において、ジョブ設定情報ＩＪに含まれるジョブ設定がどのリスク要素にも対応づけされておらず、ガイダンス情報生成部２７Ｂがリスク要素を抽出できなかった場合には、携帯端末２０のジョブ設定情報送受信部２７Ａは、無線ネットワーク通信部２１を介して、ジョブ設定情報ＩＪを変更しない旨を、無線ネットワーク通信ＷＬＡＮを用いて画像処理装置１０に送信する。この場合には、画像処理装置１０は、ＲＡＭ１７Ａに記憶されたジョブ設定情報ＩＪを用いて、コピージョブを行う。
【００８８】
次に、ガイダンス情報生成部２７Ｂは、ユーザ設定情報ＩＵおよびステップＳ１０８において抽出したリスク要素に基づいて、要求判定リストＬ２を用いて、要求要素を判定する（ステップＳ１０９）。具体的には、ガイダンス情報生成部２７Ｂは、まず、要求判定リストＬ２（図４）を用いて、ステップＳ１０８において抽出したリスク要素に対応する要求要素に対応づけられたユーザ設定項目を確認する。そして、ガイダンス情報生成部２７Ｂは、ユーザ設定情報ＩＵにおけるこれらのユーザ設定項目についての設定値と、要求判定リストＬ２におけるこれらのユーザ設定項目についての設定値（設定条件）とを比較する。そして、設定値が一致するものがある場合には、この要求要素が、考慮すべき要求要素であると判定する。
【００８９】
この例では、ステップＳ１０８において、“文字が小さい”がリスク要素として抽出されており、このリスク要素は、要求要素である“文字を大きく”に対応するので、ガイダンス情報生成部２７Ｂは、図８Ｂに示したように、要求要素である“文字を大きく”に対応づけられたユーザ設定項目が、“文字サイズ”および“シンプル操作モード”であることを確認する。この例では、ユーザ設定情報ＩＵ（図６）において、“文字サイズ”は“大”に設定されるとともに“シンプル操作モード”は“ＯＮ”に設定されており、要求判定リストＬ２（図８Ｂ）において“文字サイズ”は“大”に設定されるとともに“シンプル操作モード”は“ＯＮ”に設定されている。よって、ユーザ設定情報ＩＵ（図６）および要求判定リストＬ２（図４）の間で、“文字サイズ”についての設定値が互いに一致し、“シンプル設定モード”についての設定値が互いに一致するので、ガイダンス情報生成部２７Ｂは、“文字を大きく”が、考慮すべき要求要素であると判定する。なお、この例では、“文字サイズ”についての設定値、および“シンプル設定モード”についての設定値が、ともに一致したが、どちらか一方が一致した場合でも、“文字を大きく”が、考慮すべき要求要素であると判定される。
【００９０】
なお、この例では、ガイダンス情報生成部２７Ｂは考慮すべき要求要素を判定したが、例えば、ユーザ設定情報ＩＵにおける設定値と、要求判定リストＬ２における設定値（設定条件）とがいずれも一致せず、ガイダンス情報生成部２７Ｂが考慮すべき要求要素を判定できなかった場合には、携帯端末２０のジョブ設定情報送受信部２７Ａは、無線ネットワーク通信部２１を介して、ジョブ設定情報ＩＪを変更しない旨を、無線ネットワーク通信ＷＬＡＮを用いて画像処理装置１０に送信する。この場合には、画像処理装置１０は、ＲＡＭ１７Ａに記憶されたジョブ設定情報ＩＪを用いて、コピージョブを行う。
【００９１】
次に、ガイダンス情報生成部２７Ｂは、ジョブ設定情報ＩＪおよびステップＳ１０９において判定した要求要素に基づいて、ガイダンスリストＬ３を用いて、ガイダンス情報ＩＧを生成する（ステップＳ１１０）。具体的には、ガイダンス情報生成部２７Ｂは、ガイダンスリストＬ３（図５）を用いて、ステップＳ１０９において判定した要求要素に対応づけられたジョブ設定についての情報を確認し、ジョブ設定情報ＩＪが、そのジョブ設定についての情報を含んでいるかどうかを確認する。そして、ジョブ設定情報ＩＪが、ステップＳ１０９において判定した要求要素に対応づけられたジョブ設定についての情報を含んでいる場合には、ガイダンス情報生成部２７Ｂは、ガイダンスリストＬ３においてその要求要素に対応づけられたガイダンス情報ＩＧが、ユーザに提供すべきガイダンス情報ＩＧであると判断する。
【００９２】
この例では、ステップＳ１０９において“文字を大きく”が要求要素であると判定されているので、ガイダンス情報生成部２７Ｂは、図８Ｃに示したように、この要求要素である“文字を大きく”は、“集約数”が“４ＵＰ”以上である旨、および“倍率”が“５０％”以下である旨のジョブ設定条件に対応づけられていることを確認する。ジョブ設定情報ＩＪは、“集約数”が“４ＵＰ”以上である旨の情報を含んでいるので、ガイダンス情報生成部２７Ｂは、“集約数”を“２ＵＰ”以下にすべき旨が、ユーザに提供すべきガイダンス情報ＩＧであると判断する。
【００９３】
なお、この例では、ガイダンス情報生成部２７Ｂはガイダンス情報ＩＧを生成したが、例えば、ジョブ設定情報ＩＪが、ステップＳ１０９において判定した要求要素に対応づけられたジョブ設定についての情報を含んでおらず、ガイダンス情報生成部２７Ｂがガイダンス情報ＩＧを生成できなかった場合には、携帯端末２０のジョブ設定情報送受信部２７Ａは、無線ネットワーク通信部２１を介して、ジョブ設定情報ＩＪを変更しない旨を、無線ネットワーク通信ＷＬＡＮを用いて画像処理装置１０に送信する。この場合には、画像処理装置１０は、ＲＡＭ１７Ａに記憶されたジョブ設定情報ＩＪを用いて、コピージョブを行う。
【００９４】
次に、携帯端末２０は、ユーザにガイダンス情報ＩＧおよび選択肢を提供する（ステップＳ１１１）。具体的には、例えば、携帯端末２０の表示操作部２４が、ガイダンス情報ＩＧおよび選択肢を提供する表示画像１００を表示するとともに、例えば、携帯端末２０の音声入出力部２５が、ガイダンス情報ＩＧに応じた音声情報を出力する。
【００９５】
図９は、携帯端末２０の表示操作部２４が表示する表示画像１００の一例を表すものである。この表示画像１００は、メッセージ表示フィールド１０１と、選択肢表示フィールド１０２と、“決定”ボタン１０３とを含んでいる。メッセージ表示フィールド１０１は、この例では、４ＵＰ以上の集約コピーでは文字が小さくなる可能性がある旨のメッセージを表示する。このメッセージは、“集約数”を“２ＵＰ”以下にすべき旨を示すガイダンス情報ＩＧに対応するものである。選択肢表示フィールド１０２は、“ジョブ設定を変更しない”、“ジョブ設定を変更する”、“コピーをキャンセルする”、の３つの選択肢を表示する。この選択肢表示フィールド１０２は、プルダウンボックス１０２Ａと、ラジオボタン１０２Ｂとを含んでいる。ユーザは、プルダウンボックス１０２Ａを操作することにより、“集約数”についての複数の設定のうちの１つを選択することができる。ガイダンス情報ＩＧは、“集約数”を“２ＵＰ”以下にすべき旨を含んでいるので、このプルダウンボックス１０２Ａには、例えば初期状態において“２ＵＰ”が選択され表示される。なお、この例では、プルダウンボックス１０２Ａを用いたが、これに限定されるものではなく、これに代えて、例えばテキストボックスであってもよい。また、ユーザがラジオボタン１０２Ｂを操作することにより、３つの選択肢のうちの１つを選択することができる。そして、ユーザが“決定”ボタン１０３を操作することにより、携帯端末２０は、ラジオボタン１０２Ｂにより選択された内容に応じた処理を行う。
【００９６】
例えば、“ジョブ設定を変更しない”が選択された場合には、携帯端末２０のジョブ設定情報送受信部２７Ａは、無線ネットワーク通信部２１を介して、ジョブ設定情報ＩＪを変更しない旨を、無線ネットワーク通信ＷＬＡＮを用いて画像処理装置１０に送信する。この場合には、画像処理装置１０は、ＲＡＭ１７Ａに記憶されたジョブ設定情報ＩＪを用いて、コピージョブを行う。また、“コピーをキャンセルする”が選択された場合には、携帯端末２０のジョブ設定情報送受信部２７Ａは、無線ネットワーク通信部２１を介して、コピージョブをキャンセルする旨を、無線ネットワーク通信ＷＬＡＮを用いて画像処理装置１０に送信する。この場合には、画像処理装置１０は、ＲＡＭ１７Ａに記憶されたジョブ設定情報ＩＪを消去し、コピージョブを停止し、待機状態になる。
【００９７】
“ジョブ設定を変更する”が選択された場合には、制御部２７は、表示画像１００におけるプルダウンボックス１０２Ａでの設定内容に基づいて、ジョブ設定情報ＩＪ２を生成する（ステップＳ１１２）。このジョブ設定情報ＩＪ２は、この例では、コピージョブである旨、および“集約数”が“２ＵＰ”である旨の情報を含んでいる。
【００９８】
次に、携帯端末２０は、このジョブ設定情報ＩＪ２を画像処理装置１０に供給する（ステップＳ１１３）。具体的には、ジョブ設定情報送受信部２７Ａは、無線ネットワーク通信部２１を介して、ジョブ設定情報ＩＪ２を、無線ネットワーク通信ＷＬＡＮを用いて画像処理装置１０に送信する。画像処理装置１０のジョブ設定情報送受信部１７Ｂは、無線ネットワーク通信部１１を介して、携帯端末２０から無線ネットワーク通信ＷＬＡＮを用いて送信されたジョブ設定情報ＩＪ２を受信する。
【００９９】
次に、画像処理装置１０の制御部１７は、ジョブ設定情報送受信部１７Ｂが受け取ったジョブ設定情報ＩＪ２をＲＡＭ１７Ａに記憶する（ステップＳ１１４）。具体的には、制御部１７は、ステップＳ１０６においてＲＡＭ１７Ａに記憶したジョブ設定情報ＩＪを、ステップＳ１１３において携帯端末２０から受け取ったジョブ設定情報ＩＪ２に書き換える。
【０１００】
次に、画像処理装置１０は、ＲＡＭ１７Ａに記憶されたジョブ設定情報ＩＪ２に基づいてジョブを実行する（ステップＳ１１５）。具体的には、まず、画像読取部１５が、セットされた原稿媒体に形成された画像を読み取り、画像データ（読取データ）を生成する。そして、画像形成部１６は、ジョブ設定情報ＩＪ２に含まれる、“集約数”が“２ＵＰ”である旨の情報に基づいて、画像処理を行う。そして、画像形成部１６は、画像処理が施された画像データに基づいて、記録媒体に画像を形成する。このようにして、画像処理装置１０は、この例では、“集約数”が“２ＵＰ”であるコピージョブを実行する。
【０１０１】
そして、ユーザが、例えば、携帯端末２０の表示操作部２４を操作してログオフ操作を行うことにより、携帯端末２０が、無線ネットワーク通信ＷＬＡＮを用いて、画像処理装置１０に対してログオフ要求を行う（ステップＳ１１６）。そして、画像処理装置１０は、ログオフ処理を行う（ステップＳ１１７）。画像処理装置１０は、近距離無線通信ＷＮＦＣを用いて、携帯端末２０に対してログオフ完了通知を行う（ステップＳ１１８）。
【０１０２】
なお、この例では、ユーザが携帯端末２０の表示操作部２４を操作してログオフ操作を行ったが、これに限定されるものではない。これに代えて、例えば、ユーザが画像処理装置１０の表示操作部１４を操作することによりログオフ操作を行ってもよい。また、例えばユーザが携帯端末２０を画像処理装置１０のＮＦＣリーダライタ１２にかざすことによりログオフ操作を行ってもよい。この場合には、画像処理装置１０は、近距離無線通信ＷＮＦＣを用いて、携帯端末２０に対してログオフ完了通知を行うことができる。
【０１０３】
そして、携帯端末２０は、ログオフが完了したことをユーザに通知する（ステップＳ１１９）。具体的には、例えば、携帯端末２０の表示操作部２４が、ログオフが完了したことを表示するとともに、携帯端末２０の音声入出力部２５が、ログオフが完了した旨の音声情報を出力する。
【０１０４】
そして、画像処理装置１０および携帯端末２０は、無線ネットワーク通信ＷＬＡＮを終了する（ステップＳ１２０）。
【０１０５】
以上で、このシーケンスは終了する。
【０１０６】
このように、画像処理システム１では、携帯端末２０のユーザ設定情報ＩＵにおいて、例えば“文字サイズ”が“大”に設定され、または“シンプル操作モード”が“ＯＮ”に設定されている場合には、その携帯端末２０のユーザが小さい文字が読みづらいであろうと判断し、“集約数”を“２ＵＰ”以下にすべき旨を示すガイダンス情報ＩＧを生成し、このガイダンス情報ＩＧおよび選択肢をユーザに提供する。これにより、ユーザには、画像処理装置１０がジョブの実行を完了する前に、ジョブ設定を変更する機会を得ることができる。これにより、無駄なジョブの実行を防止することができる。
【０１０７】
この例では、ユーザは、画像処理装置１０を操作することにより、“集約数”が“４ＵＰ”であるコピージョブを投入したが、“倍率”が“５０％”であるコピージョブを投入した場合についても同様である。
【０１０８】
具体的には、この場合には、ジョブ設定情報ＩＪは、コピージョブである旨、および“倍率”が“５０％”である旨の情報を含む。よって、ステップＳ１０８において、ガイダンス情報生成部２７Ｂは、リスク要素である“文字が小さい”を抽出する。そして、ステップＳ１０９において、ガイダンス情報生成部２７Ｂは、そのリスク要素である“文字が小さい”に対応する要求要素である“文字を大きく”に対応づけられたユーザ設定項目が、“文字サイズ”および“シンプル操作モード”であることを確認する。そして、ユーザ設定情報ＩＵ（図６）および要求判定リストＬ２（図４）の間で、“文字サイズ”についての設定値が互いに一致し、“シンプル設定モード”についての設定値が互いに一致するので、ガイダンス情報生成部２７Ｂは、“文字を大きく”が、考慮すべき要求要素であると判定する。そして、ステップＳ１１０において、ガイダンス情報生成部２７Ｂは、要求要素である“文字を大きく”が、“集約数”が“４ＵＰ”以上である旨、および“倍率”が“５０％”以下である旨のジョブ設定条件に対応づけられていることを確認する。ジョブ設定情報ＩＪは、“倍率”が“５０％”である旨の情報を含んでいるので、ガイダンス情報生成部２７Ｂは、“倍率”を“６０％”以上にすべき旨が、ユーザに提供すべきガイダンス情報ＩＧであると判断する。そして、携帯端末２０の表示操作部２４が、このガイダンス情報ＩＧおよび選択肢を提供する表示画像１１０を表示する。
【０１０９】
図１０は、表示画像１１０の一例を表すものである。メッセージ表示フィールド１０１は、この例では、倍率が５０％以下である場合には、文字が読みづらい可能性がある旨のメッセージを表示する。このメッセージは、“倍率”を“６０％”以上にすべき旨を示すガイダンス情報ＩＧに対応するものである。選択肢表示フィールド１０２は、“ジョブ設定を変更しない”、“ジョブ設定を変更する”、“コピーをキャンセルする”、の３つの選択肢を表示する。ガイダンス情報ＩＧは、“倍率”を“６０％”以上にすべき旨を含んでいるので、選択肢表示フィールド１０２のプルダウンボックス１０２Ａには、例えば初期状態において“６０％”が選択され表示される。
【０１１０】
“ジョブ設定を変更する”が選択された場合には、制御部２７は、コピージョブである旨、および“倍率”が“６０％”である旨の情報を含むジョブ設定情報ＩＪ２を生成する（ステップＳ１１２）。そして、携帯端末２０は、このジョブ設定情報ＩＪ２を画像処理装置１０に供給する（ステップＳ１１３）。画像処理装置１０は、このジョブ設定情報ＩＪ２をＲＡＭ１７Ａに記憶し（ステップＳ１１４）、このジョブ設定情報ＩＪ２に基づいてジョブを実行する（ステップＳ１１５）。これにより、画像処理装置１０は、“倍率”が“６０％”であるコピージョブを実行する。
【０１１１】
このように、画像処理システム１では、携帯端末２０のユーザ設定情報ＩＵにおいて、例えば“文字サイズ”が“大”に設定され、または“シンプル操作モード”が“ＯＮ”に設定されている場合には、その携帯端末２０のユーザが小さい文字を読みづらいであろうと判断し、“倍率”を“６０％”以上にすべき旨を示すガイダンス情報ＩＧを生成し、このガイダンス情報ＩＧおよび選択肢をユーザに提供する。これにより、ユーザには、画像処理装置１０がコピージョブの実行を完了する前に、ジョブ設定を変更する機会を得ることができる。これにより、無駄なジョブの実行を防止することができる。
【０１１２】
（ケースＣ２）
この例では、ユーザは、画像処理装置１０を操作することにより、“ドキュメントタイプ”が“文字／写真”であり“濃度”が“０”であり“コントラスト”が“０”であるコピージョブを投入する。また、携帯端末２０のユーザ設定情報ＩＵでは、図１１に示すように、 “高コントラストテキスト”が“ＯＮ”に設定されている。
【０１１３】
ケースＣ１の場合（図７Ａ，７Ｂ）と同様に、まず、ユーザが、携帯端末２０を、画像処理装置１０のＮＦＣリーダライタ１２にかざすことにより、画像処理装置１０がログイン認証処理を行い、ログイン認証が成功した場合には、画像処理装置１０および携帯端末２０は、無線ネットワーク通信ＷＬＡＮを確立する（ステップＳ１０１〜Ｓ１０５）。
【０１１４】
次に、ユーザが、画像処理装置１０の画像読取部１５に原稿媒体をセットするとともに、表示操作部１４を操作することにより、コピージョブのジョブ設定を入力する。このジョブ設定において、ユーザは、“ドキュメントタイプ”を“文字／写真”に設定し、“濃度”を“０”に設定し、“コントラスト”を“０”に設定する。そして、ユーザは、表示操作部１４の開始キーを操作する。画像処理装置１０の制御部１７は、ユーザが入力したジョブ設定に基づいて、ジョブ設定情報ＩＪを生成し、このジョブ設定情報ＩＪをＲＡＭ１７Ａに記憶する（ステップＳ１０６）。このジョブ設定情報ＩＪは、コピージョブである旨、および“ドキュメントタイプ”が“文字／写真”であり“濃度”が“０”であり“コントラスト”が“０”である旨の情報を含んでいる。画像処理装置１０は、このジョブ設定情報ＩＪを携帯端末２０に供給する（ステップＳ１０７）。
【０１１５】
次に、携帯端末２０のガイダンス情報生成部２７Ｂは、ジョブ設定情報ＩＪに基づいて、リスク抽出リストＬ１（図３）を用いて、リスク要素を抽出する（ステップＳ１０８）。この例では、ジョブ設定情報ＩＪは、コピージョブである旨、および“ドキュメントタイプ”が“文字／写真”であり“濃度”が“０”であり“コントラスト”が“０”である旨の情報を含んでいるので、ガイダンス情報生成部２７Ｂは、リスク要素である“文字が不明瞭”を抽出する。
【０１１６】
次に、ガイダンス情報生成部２７Ｂは、ユーザ設定情報ＩＵおよびステップＳ１０８において抽出したリスク要素に基づいて、要求判定リストＬ２（図４）を用いて、要求要素を判定する（ステップＳ１０９）。この例では、ステップＳ１０８において、“文字が不明瞭”がリスク要素として抽出されているので、ガイダンス情報生成部２７Ｂは、リスク要素である“文字が不明瞭”に対応する要求要素である“文字を強調”に対応づけられたユーザ設定項目が、“シンプル操作モード”および“高コントラストテキスト”であることを確認する。ユーザ設定情報ＩＵ（図１１）および要求判定リストＬ２（図４）の間で、“シンプル操作モード”についての設定値が互いに一致しないが、“高コントラストモード”についての設定値が互いに一致するので、ガイダンス情報生成部２７Ｂは、“文字を強調”が、考慮すべき要求要素であると判定する。
【０１１７】
次に、ガイダンス情報生成部２７Ｂは、ジョブ設定情報ＩＪおよびステップＳ１０９において判定した要求要素に基づいて、ガイダンスリストＬ３（図５）を用いて、ガイダンス情報ＩＧを生成する（ステップＳ１１０）。この例では、ガイダンスリストＬ３において、この要求要素である“文字を強調”は、“ドキュメントタイプ”が“文字／写真”であり“濃度”が“０以下”であり“コントラスト”が“０以下”である旨のジョブ設定条件に対応づけられている。ジョブ設定情報ＩＪは、この条件に該当する情報を含んでいるので、ガイダンス情報生成部２７Ｂは、“ドキュメントタイプ”を“文字”にし“濃度”を“＋１”にし“コントラスト”を“＋２”にすべき旨が、ユーザに提供すべきガイダンス情報ＩＧであると判断する。
【０１１８】
次に、携帯端末２０は、ユーザにガイダンス情報ＩＧおよび選択肢を提供する（ステップＳ１１１）。
【０１１９】
図１２は、表示画像１２０の一例を表すものである。メッセージ表示フィールド１０１は、この例では、“ドキュメントタイプ”を“文字”にし“濃度”を“＋１”にし“コントラスト”を“＋２”にする旨を提案するメッセージを表示する。このメッセージは、ドキュメントタイプ”を“文字”にし“濃度”を“＋１”にし“コントラスト”を“＋２”にすべき旨を示すガイダンス情報ＩＧに対応するものである。選択肢表示フィールド１０２は、“ジョブ設定を変更しない”、“ジョブ設定を変更する”、“コピーをキャンセルする”、の３つの選択肢を表示する。
【０１２０】
“ジョブ設定を変更する”が選択された場合には、制御部２７は、コピージョブである旨、および“ドキュメントタイプ”が“文字”であり“濃度”が“＋１”であり“コントラスト”が“＋２”である旨の情報を含むジョブ設定情報ＩＪ２を生成する（ステップＳ１１２）。そして、携帯端末２０は、このジョブ設定情報ＩＪ２を画像処理装置１０に供給する（ステップＳ１１３）。画像処理装置１０は、このジョブ設定情報ＩＪ２をＲＡＭ１７Ａに記憶し（ステップＳ１１４）、このジョブ設定情報ＩＪ２に基づいてジョブを実行する（ステップＳ１１５）。これにより、画像処理装置１０は、この例では、“ドキュメントタイプ”が“文字”であり“濃度”が“＋１”であり“コントラスト”が“＋２”であるコピージョブを実行する。
【０１２１】
これ以降の動作については、ケースＣ１と同様である。
【０１２２】
このように、画像処理システム１では、携帯端末２０のユーザ設定情報ＩＵにおいて、例えば“シンプル操作モード”が“ＯＮ”に設定され、または“高コントラストテキスト”が“ＯＮ”に設定されている場合には、その携帯端末２０のユーザが不明瞭な文字を読みづらいであろうと判断し、“ドキュメントタイプ”を“文字”にし“濃度”を“＋１”にし“コントラスト”を“＋２”にすべき旨を示すガイダンス情報ＩＧを生成し、このガイダンス情報ＩＧおよび選択肢をユーザに提供する。これにより、ユーザには、画像処理装置１０がコピージョブの実行を完了する前に、ジョブ設定を変更する機会を得ることができる。これにより、無駄なジョブの実行を防止することができる。
【０１２３】
（ケースＣ３）
まず、画像処理装置１０がカラーコピージョブを行う場合について説明する。この例では、ユーザは、画像処理装置１０を操作することにより、“色弱補正”が“ＯＦＦ”であるカラーコピージョブを投入する。また、携帯端末２０のユーザ設定情報ＩＵでは、図１３に示すように、“色補正（色弱設定）”が“第２色弱補正”に設定されている。
【０１２４】
ケースＣ１の場合（図７Ａ，７Ｂ）と同様に、まず、ユーザが、携帯端末２０を、画像処理装置１０のＮＦＣリーダライタ１２にかざすことにより、画像処理装置１０がログイン認証処理を行い、ログイン認証が成功した場合には、画像処理装置１０および携帯端末２０は、無線ネットワーク通信ＷＬＡＮを確立する（ステップＳ１０１〜Ｓ１０５）。
【０１２５】
次に、ユーザが、画像処理装置１０の画像読取部１５に原稿媒体をセットするとともに、表示操作部１４を操作することにより、カラーコピージョブのジョブ設定を入力する。このジョブ設定において、ユーザは、“色弱補正”を“ＯＦＦ”に設定する。そして、ユーザは、表示操作部１４の開始キーを操作する。画像処理装置１０の制御部１７は、ユーザが入力したジョブ設定に基づいて、ジョブ設定情報ＩＪを生成し、このジョブ設定情報ＩＪをＲＡＭ１７Ａに記憶する（ステップＳ１０６）。このジョブ設定情報ＩＪは、カラーコピージョブである旨、および“色弱補正”が“ＯＦＦ”である旨の情報を含んでいる。画像処理装置１０は、このジョブ設定情報ＩＪを携帯端末２０に供給する（ステップＳ１０７）。
【０１２６】
次に、携帯端末２０のガイダンス情報生成部２７Ｂは、ジョブ設定情報ＩＪに基づいて、リスク抽出リストＬ１（図３）を用いて、リスク要素を抽出する（ステップＳ１０８）。この例では、ジョブ設定情報ＩＪは、カラーコピージョブである旨、および“色弱設定”が“ＯＦＦ”である旨の情報を含んでいるので、ガイダンス情報生成部２７Ｂは、リスク要素である“第１色弱”、“第２色弱”、および“第３色弱”を抽出する。
【０１２７】
次に、ガイダンス情報生成部２７Ｂは、ユーザ設定情報ＩＵおよびステップＳ１０８において抽出したリスク要素に基づいて、要求判定リストＬ２（図４）を用いて、要求要素を判定する（ステップＳ１０９）。この例では、ステップＳ１０８において、“第１色弱”、“第２色弱”、および“第３色弱”がリスク要素として抽出されているので、ガイダンス情報生成部２７Ｂは、リスク要素である“第１色弱”、“第２色弱”、および“第３色弱”に対応する要求要素である“第１色弱補正”、“第２色弱補正”、および“第３色弱補正”に対応づけられたユーザ設定項目が、“色補正（色弱設定）”であることを確認する。ユーザ設定情報ＩＵ（図１３）および要求判定リストＬ２（図４）の間で、“色補正（色弱補正）”についての設定値である“第２色弱補正”が互いに一致するので、ガイダンス情報生成部２７Ｂは、“第２色弱補正”が、考慮すべき要求要素であると判定する。
【０１２８】
次に、ガイダンス情報生成部２７Ｂは、ジョブ設定情報ＩＪおよびステップＳ１０９において判定した要求要素に基づいて、ガイダンスリストＬ３（図５）を用いて、ガイダンス情報ＩＧを生成する（ステップＳ１１０）。この例では、ガイダンスリストＬ３において、この要求要素である“第２色弱補正”は、“色弱補正”が“第２色弱補正”以外である旨のジョブ設定条件に対応づけられている。ジョブ設定情報ＩＪは、“色弱補正”が“ＯＦＦ”である旨の情報を含んでいるので、ガイダンス情報生成部２７Ｂは、“色弱補正”を“第２色弱補正”にすべき旨が、ユーザに提供すべきガイダンス情報ＩＧであると判断する。
【０１２９】
次に、携帯端末２０は、ユーザにガイダンス情報ＩＧおよび選択肢を提供する（ステップＳ１１１）。
【０１３０】
図１４は、表示画像１３０の一例を表すものである。メッセージ表示フィールド１０１は、この例では、色弱補正印刷が可能である旨、および第２色弱補正で印刷することを提案するメッセージを表示する。このメッセージは、“色弱補正”を“第２色弱補正”にすべき旨を示すガイダンス情報ＩＧに対応するものである。選択肢表示フィールド１０２は、“ジョブ設定を変更しない”、“第２色弱補正に変更する”、“コピーをキャンセルする”、の３つの選択肢を表示する。
【０１３１】
“第２色弱補正に変更する”が選択された場合には、制御部２７は、カラーコピージョブである旨、および“色弱補正”が“第２色弱補正”である旨の情報を含むジョブ設定情報ＩＪ２を生成する（ステップＳ１１２）。そして、携帯端末２０は、このジョブ設定情報ＩＪ２を画像処理装置１０に供給する（ステップＳ１１３）。画像処理装置１０は、このジョブ設定情報ＩＪ２をＲＡＭ１７Ａに記憶し（ステップＳ１１４）、このジョブ設定情報ＩＪ２に基づいてジョブを実行する（ステップＳ１１５）。これにより、画像処理装置１０は、この例では、“色弱補正”が“第２色弱補正”であるカラーコピージョブを実行する。
【０１３２】
これ以降の動作については、ケースＣ１と同様である。
【０１３３】
このように、画像処理システム１では、携帯端末２０のユーザ設定情報ＩＵにおいて、例えば“色補正（色弱設定）”が“第２色弱補正”に設定されている場合には、その携帯端末２０のユーザが色を把握しづらいであろうと判断し、“色弱補正”を“第２色弱補正”にすべき旨を示すガイダンス情報ＩＧを生成し、このガイダンス情報ＩＧおよび選択肢をユーザに提供する。これにより、ユーザには、画像処理装置１０がカラーコピージョブの実行を完了する前に、ジョブ設定を変更する機会を得ることができる。これにより、無駄なジョブの実行を防止することができる。
【０１３４】
この例では、カラーコピージョブの例で説明したが、例えば、カラースキャンジョブについても同様である。
【０１３５】
（ケースＣ４）
まず、画像処理装置１０がＦＡＸ送信ジョブを行う場合について説明する。この例では、ユーザは、画像処理装置１０を操作し、宛先のＦＡＸ番号を直接入力してＦＡＸ送信ジョブを投入する。また、携帯端末２０のコンタクトリストＣＬには、画像処理装置１０に直接入力したＦＡＸ番号が登録されている。
【０１３６】
ケースＣ１の場合（図７Ａ，７Ｂ）と同様に、まず、ユーザが、携帯端末２０を、画像処理装置１０のＮＦＣリーダライタ１２にかざすことにより、画像処理装置１０がログイン認証処理を行い、ログイン認証が成功した場合には、画像処理装置１０および携帯端末２０は、無線ネットワーク通信ＷＬＡＮを確立する（ステップＳ１０１〜Ｓ１０５）。
【０１３７】
次に、ユーザが、画像処理装置１０の画像読取部１５に原稿媒体をセットするとともに、表示操作部１４を操作することにより、ＦＡＸ送信ジョブのジョブ設定を入力する。このジョブ設定において、ユーザは、宛先のＦＡＸ番号を直接入力する。そして、ユーザは、表示操作部１４の開始キーを操作する。画像処理装置１０の制御部１７は、ユーザが入力したジョブ設定に基づいて、ジョブ設定情報ＩＪを生成し、このジョブ設定情報ＩＪをＲＡＭ１７Ａに記憶する（ステップＳ１０６）。このジョブ設定情報ＩＪは、ＦＡＸ送信ジョブである旨の情報、“ＦＡＸ番号直接入力”を示すフラグ情報、および宛先のＦＡＸ番号についての情報を含んでいる。画像処理装置１０は、このジョブ設定情報ＩＪを携帯端末２０に供給する（ステップＳ１０７）。
【０１３８】
次に、携帯端末２０のガイダンス情報生成部２７Ｂは、ジョブ設定情報ＩＪに基づいて、リスク抽出リストＬ１（図３）を用いて、リスク要素を抽出する（ステップＳ１０８）。この例では、ジョブ設定情報ＩＪは、ＦＡＸ送信ジョブである旨の情報、および“ＦＡＸ番号直接入力”を示すフラグ情報を含んでいるので、ガイダンス情報生成部２７Ｂは、リスク要素である“ＦＡＸ誤送信”を抽出する。
【０１３９】
次に、ガイダンス情報生成部２７Ｂは、コンタクトリストＣＬおよびステップＳ１０８において抽出したリスク要素に基づいて、要求判定リストＬ２（図４）を用いて、要求要素を判定する（ステップＳ１０９）。この例では、ステップＳ１０８において、“ＦＡＸ誤送信”がリスク要素として抽出されているので、ガイダンス情報生成部２７Ｂは、リスク要素である“ＦＡＸ誤送信”に対応する要求要素である“ＦＡＸ番号確認”に対応づけられたユーザ設定項目が、“ＦＡＸ番号登録”であることを確認する。ガイダンス情報生成部２７Ｂは、コンタクトリストＣＬに、ジョブ設定情報ＩＪに含まれる宛先のＦＡＸ番号が登録されているかどうかを確認する。この例では、宛先のＦＡＸ番号はコンタクトリストＣＬに“登録”されており、この確認結果は、要求判定リストＬ２における“ＦＡＸ番号登録”についての設定値と同じであるため、ガイダンス情報生成部２７Ｂは、“ＦＡＸ番号確認”が、考慮すべき要求要素であると判定する。
【０１４０】
次に、ガイダンス情報生成部２７Ｂは、コンタクトリストＣＬおよびステップＳ１０９において判定した要求要素に基づいて、ガイダンスリストＬ３（図５）を用いて、ガイダンス情報ＩＧを生成する（ステップＳ１１０）。この例では、ガイダンスリストＬ３において、この要求要素である“ＦＡＸ番号確認”は、“ＦＡＸ番号直接入力”である旨のジョブ設定条件に対応づけられている。ジョブ設定情報ＩＪは、“ＦＡＸ番号直接入力”を示すフラグ情報を含んでいるので、ガイダンス情報生成部２７Ｂは、コンタクトリストＣＬの検索結果が、ユーザに提供すべきガイダンス情報ＩＧであると判断する。
【０１４１】
次に、携帯端末２０は、ユーザにガイダンス情報ＩＧおよび選択肢を提供する（ステップＳ１１１）。
【０１４２】
図１５は、表示画像１４０の一例を表すものである。メッセージ表示フィールド１０１は、この例では、宛先のＦＡＸ番号がコンタクトリストＣＬに登録されている旨のメッセージを表示する。また、メッセージ表示フィールド１０１は、コンタクトリストＣＬに登録されている、そのＦＡＸ番号に対応する宛先の名前を表示し、この宛先で間違いないかどうかの確認を促すメッセージを表示する。これらのメッセージは、コンタクトリストＣＬの検索結果を示すガイダンス情報ＩＧに対応するものである。選択肢表示フィールド１０２は、“間違いない”、“ＦＡＸ送信をキャンセルする”、の２つの選択肢を表示する。
【０１４３】
この例では、携帯端末２０のコンタクトリストＣＬに、宛先のＦＡＸ番号が登録されているとしたが、例えば、宛先のＦＡＸ番号が登録されていない場合には、図１６に示したように、メッセージ表示フィールド１０１は、この例では、宛先のＦＡＸ番号がコンタクトリストＣＬに登録されていない旨のメッセージを表示するとともに、この宛先で間違いないかどうかの確認を促すメッセージを表示する。これらのメッセージは、コンタクトリストＣＬの検索結果を示すガイダンス情報ＩＧに対応するものである。選択肢表示フィールド１０２は、“間違いない”、“ＦＡＸ送信をキャンセルする”、の２つの選択肢を表示する。なお、これに限定されるものではなく、例えば、携帯端末２０のコンタクトリストＣＬを用いてユーザがＦＡＸ番号を選択するようにしてもよい。
【０１４４】
例えば、“間違いない”が選択された場合には、携帯端末２０のジョブ設定情報送受信部２７Ａは、無線ネットワーク通信部２１を介して、ジョブ設定情報ＩＪを変更しない旨を、無線ネットワーク通信ＷＬＡＮを用いて画像処理装置１０に送信する。この場合には、画像処理装置１０は、ＲＡＭ１７Ａに記憶されたジョブ設定情報ＩＪを用いて、ＦＡＸ送信ジョブを行う。また、“ＦＡＸ送信をキャンセルする”が選択された場合には、携帯端末２０のジョブ設定情報送受信部２７Ａは、無線ネットワーク通信部２１を介して、ＦＡＸ送信ジョブをキャンセルする旨を、無線ネットワーク通信ＷＬＡＮを用いて画像処理装置１０に送信する。この場合には、画像処理装置１０は、ＲＡＭ１７Ａに記憶されたジョブ設定情報ＩＪを消去し、ＦＡＸ送信ジョブを停止し、待機状態になる。
【０１４５】
このように、画像処理システム１では、携帯端末２０のコンタクトリストＣＬに、画像処理装置１０に直接入力したＦＡＸ番号が登録されている場合には、宛先のＦＡＸ番号が間違っている可能性があると判断し、コンタクトリストＣＬを用いてそのＦＡＸ番号を検索した結果を示すガイダンス情報ＩＧを生成し、このガイダンス情報ＩＧおよび選択肢をユーザに提供する。これにより、ユーザには、画像処理装置１０がＦＡＸ送信ジョブの実行を完了する前に、ジョブ設定を変更する機会を得ることができる。これにより、無駄なジョブの実行を防止することができる。
【０１４６】
以上のように、画像処理システム１では、ジョブ設定情報ＩＪ、および携帯端末２０におけるユーザ設定についての情報（ユーザ設定情報ＩＵおよびコンタクトリストＣＬ）に基づいて、ガイダンス情報ＩＧおよび選択肢を生成するようにした。これにより、画像処理システム１では、例えば、ユーザは、ジョブの設定と、画像処理装置１０の出力結果との関係を熟知していない場合でも、ガイダンス情報ＩＧにより、画像処理装置１０の出力結果がどのようなものになり得るかについての情報を得ることができる。また、ユーザは、選択肢に基づいて、より良い出力結果を得るための設定を選択することができるので、例えば、実際に画像処理装置１０の出力結果を確認し、より良い出力結果を得るために再度ジョブを投入する必要がないので、ユーザの手間を省くことができる。その結果、画像処理システム１では、ユーザの利便性を高めることができる。
【０１４７】
［効果］
以上のように本実施の形態では、ジョブ設定情報、および携帯端末におけるユーザ設定についての情報に基づいて、ガイダンス情報および選択肢を生成するようにしたので、ユーザの利便性を高めることができる。
【０１４８】
［変形例１−１］
上記実施の形態では、携帯端末２０の表示操作部２４がガイダンス情報ＩＧおよび選択肢を表示したが、これに限定されるものではない。これに代えて、例えば、携帯端末２０は、生成したガイダンス情報ＩＧを画像処理装置１０に供給し、画像処理装置１０の表示操作部１４がガイダンス情報ＩＧおよび選択肢を表示してもよい。この場合には、ユーザは、画像処理装置１０の表示操作部１４を操作することにより、例えば選択肢のうちの１つを選択することができる。
【０１４９】
［変形例１−２］
上記実施の形態では、携帯端末２０が、リスク抽出リストＬ１、要求判定リストＬ２、およびガイダンスリストＬ３を用いてガイダンス情報ＩＧを生成したが、これに限定されるものではない。これに代えて、例えば、画像処理装置１０に記憶部を設け、この記憶部が、リスク抽出リストＬ１、要求判定リストＬ２、およびガイダンスリストＬ３を記憶し、画像処理装置１０が、この記憶部に記憶されたリスク抽出リストＬ１、要求判定リストＬ２、およびガイダンスリストＬ３を用いてガイダンス情報ＩＧを生成してもよい。この場合には、携帯端末２０は、ユーザ設定情報ＩＵおよびコンタクトリストＣＬを画像処理装置１０に供給し、画像処理装置１０が、ジョブ設定情報ＩＪ、ユーザ設定情報ＩＵ、およびコンタクトリストＣＬに基づいてガイダンス情報ＩＧを生成する。
【０１５０】
なお、これに限定されるものではなく、携帯端末２０および画像処理装置１０が分担してガイダンス情報ＩＧを生成してもよい。具体的には、例えば、携帯端末２０が、ジョブ設定情報ＩＪ、ユーザ設定情報ＩＵ、およびコンタクトリストＣＬに基づいて、リスク抽出リストＬ１および要求判定リストＬ２を用いてリスク要素を抽出するとともに要求要素を判定し、画像処理装置１０が、ジョブ設定情報ＩＪに基づいて、ガイダンスリストＬ３を用いてガイダンス情報ＩＧを生成してもよい。この場合、携帯端末２０の記憶部２６は、リスク抽出リストＬ１および要求判定リストＬ２を記憶し、画像処理装置１０の記憶部がガイダンスリストＬ３を記憶する。
【０１５１】
［変形例１−３］
上記実施の形態では、ガイダンス情報生成部２７Ｂは、ジョブ設定情報ＩＪ、ユーザ設定情報ＩＵ、およびコンタクトリストＣＬに基づいて、リスク抽出リストＬ１、要求判定リストＬ２、およびガイダンスリストＬ３を用いて、ガイダンス情報ＩＧを生成したが、これに限定されるものではなく、ジョブ設定情報ＩＪ、および携帯端末２０におけるユーザ設定についての情報に基づいてガイダンス情報ＩＧを生成する様々な方法を使用することができる。
【０１５２】
［変形例１−４］
上記実施の形態では、コピー処理を行う場合に、ガイダンス情報ＩＧを生成するようにしたが、これに限定されるものではない。これに代えて、例えば、コピー処理のジョブ設定情報ＩＪにおいて、“部数”が“２”以上に設定されている場合には、ガイダンス情報ＩＧを生成しないようにしてもよい。以下に、本変形例に係る画像処理システム１Ａについて詳細に説明する。
【０１５３】
画像処理システム１Ａは、画像処理装置１０Ａと、携帯端末２０とを備えている。画像処理装置１０Ａは、ジョブ設定情報ＩＪにおいて、“部数”が“２”以上に設定されている場合には、ジョブ設定情報ＩＪを携帯端末２０に供給せず、そのジョブ設定情報ＩＪに基づいてジョブを実行するように構成されている。
【０１５４】
図１７は、画像処理システム１Ａの一動作例を表すものである。上記実施の形態の場合と同様に、まず、ユーザが、携帯端末２０を、画像処理装置１０ＡのＮＦＣリーダライタ１２にかざすことにより、ログイン認証処理が行われ、ログイン認証が成功した場合には、画像処理装置１０Ａおよび携帯端末２０は、無線ネットワーク通信ＷＬＡＮを確立する（ステップＳ１０１〜Ｓ１０５）。
【０１５５】
次に、ユーザが、画像処理装置１０の画像読取部１５に原稿媒体をセットするとともに、表示操作部１４を操作することにより、コピージョブのジョブ設定を入力し、開始キーを操作する。画像処理装置１０Ａの制御部１７は、ユーザが入力したジョブ設定に基づいて、ジョブ設定情報ＩＪを生成し、このジョブ設定情報ＩＪをＲＡＭ１７Ａに記憶する（ステップＳ１０６）。
【０１５６】
次に、画像処理装置１０Ａの制御部１７は、ジョブ設定情報ＩＪにおいて、“部数”が“２”以上に設定されているかどうかを確認する（ステップＳ１２１）。“部数”が“１”である場合には、上記実施の形態の場合（図７Ａ，７Ｂ）と同様に、画像処理装置１０Ａは、ジョブ設定情報ＩＪを携帯端末２０に供給し（ステップＳ１０７）、携帯端末２０がこのジョブ設定情報ＩＪに基づいてガイダンス情報ＩＧを生成し、ガイダンス情報ＩＧおよび選択肢をユーザに提供する（ステップＳ１０８〜Ｓ１１１）。それ以降についても同様である。
【０１５７】
一方、“部数”が“２”以上である場合には、画像処理装置１０Ａの制御部１７は、ＲＡＭ１７Ａに記憶されたジョブ設定情報ＩＪに基づいてジョブを実行する（ステップＳ１２２）。すなわち、“部数”が“２”以上である場合には、制御部１７は、コピージョブの目的は、個人用の資料の複製ではなく、多数の人々への配布するための資料の複製であると判断し、ガイダンス情報ＩＧを生成せずに、そのジョブ設定情報ＩＪに基づいてジョブを実行する。そして、その後に、ユーザのログオフ操作に基づいてログオフ処理が行われ、画像処理装置１０Ａおよび携帯端末２０は、無線ネットワーク通信ＷＬＡＮを終了する（ステップＳ１１６〜Ｓ１２０）。
【０１５８】
なお、この例では、部数”が“２”以上に設定されている場合には、ジョブ設定情報ＩＪを携帯端末２０に供給しないようにしたが、これに限定されるものではない。これに代えて、例えば、上記実施の形態の場合（図７Ａ）と同様に、画像処理装置１０がジョブ設定情報ＩＪを携帯端末２０に供給してもよい。この場合には、例えば、携帯端末２０は、部数”が“２”以上に設定されている場合に、画像処理装置１０から供給されたジョブ設定情報ＩＪに基づいてガイダンス情報ＩＧを生成せず、ジョブ設定情報ＩＪを変更しない旨を画像処理装置１０に供給してもよい。この場合には、画像処理装置１０は、ＲＡＭ１７Ａに記憶されたジョブ設定情報ＩＪを用いて、コピージョブを行う。
【０１５９】
また、部数”が“２”以上に設定されている場合には、複数の部数のうちの１つについて、ジョブ設定情報ＩＪ２に基づいてコピージョブを実行し、複数の部数のうちのそれ以外については、ジョブ設定情報ＩＪに基づいてコピージョブを実行してもよい。すなわち、“部数”が“２”以上である場合には、コピージョブの目的は、多数の人々への配布するための資料の複製であるが、複数の部数のうちの１つは、そのユーザ用の資料である。よって、この例では、画像処理装置１０は、複数の部数のうちの１つのみ、ジョブ設定情報ＩＪ２に基づいてコピージョブを実行する。
【０１６０】
［その他の変形例］
また、これらの変形例のうちの２以上を組み合わせてもよい。
【０１６１】
＜２．第２の実施の形態＞
次に、第２の実施の形態に係る画像処理システム２について説明する。本実施の形態は、すでに画像処理装置に格納されている印刷データＤＰに基づいて画像を形成するものである。なお、上記第１の実施の形態に係る画像処理システム１と実質的に同一の構成部分には同一の符号を付し、適宜説明を省略する。
【０１６２】
図１８は、本変形例に係る画像処理システム２の一構成例を表すものである。画像処理システム２は、画像処理装置３０と、携帯端末４０とを備えている。
【０１６３】
画像処理装置３０は、記憶部３８と、制御部３７とを有している。記憶部３８は、リスク抽出リストＬ１と、要求判定リストＬ２と、ガイダンスリストＬ３とを記憶している。制御部３７は、ＲＡＭ３７Ａと、情報送受信部３７Ｂと、ガイダンス情報生成部３７Ｃとを有している。
【０１６４】
ＲＡＭ３７Ａは、１または複数の印刷データＤＰを記憶している。印刷データＤＰは、例えば、図示しないパーソナルコンピュータから画像処理装置３０に供給され格納されたものである。印刷データＤＰのそれぞれは、画像データＤＴと、ジョブ設定情報ＩＪとを含んでいる。画像データＤＴは、印刷されるべき画像についての情報である。また、ＲＡＭ３７Ａは、画像処理装置３０において実行されるべきジョブのリストを示すジョブリストＪＬ（図示せず）についての情報をも記憶している。
【０１６５】
情報送受信部３７Ｂは、無線ネットワーク通信部１１を介して、携帯端末４０から無線ネットワーク通信ＷＬＡＮを用いて送信されたユーザ設定情報ＩＵを受信するとともに、ガイダンス情報生成部３７Ｃが生成したガイダンス情報ＩＧと、印刷データＤＰに含まれるジョブ設定情報ＩＪとを、無線ネットワーク通信ＷＬＡＮを用いて携帯端末４０に送信するものである。
【０１６６】
ガイダンス情報生成部３７Ｃは、印刷データＤＰに含まれるジョブ設定情報ＩＪおよび情報送受信部３７Ｂが受信したユーザ設定情報ＩＵに基づいて、リスク抽出リストＬ１、要求判定リストＬ２、およびガイダンスリストＬ３を用いて、ガイダンス情報ＩＧを生成するものである。
【０１６７】
携帯端末４０は、記憶部４６と、制御部４７とを有している。記憶部４６は、ユーザ設定情報ＩＵを記憶している。制御部４７は、情報送受信部４７Ａを有している。情報送受信部４７Ａは、無線ネットワーク通信部２１を介して、記憶部４６が記憶しているユーザ設定情報ＩＵ、および制御部４７が生成したジョブ設定情報ＩＪ２を、無線ネットワーク通信ＷＬＡＮを用いて画像処理装置３０に送信するとともに、画像処理装置３０から無線ネットワーク通信ＷＬＡＮを用いて送信されたガイダンス情報ＩＧおよびジョブ設定情報ＩＪを受信するものである。
【０１６８】
ここで、画像処理装置３０は、本発明における「画像処理装置」の一具体例に対応する。無線ネットワーク通信部１１は、本発明における「通信部」の一具体例に対応する。画像読取部１５および画像形成部１６は、本発明における「画像処理部」の一具体例に対応する。制御部３７は、本発明における「制御部」の一具体例に対応する。携帯端末４０は、本発明における「情報処理端末」の一具体例に対応する。
【０１６９】
図１９Ａ，１９Ｂは、画像処理システム２の一動作例を表すものである。上記第１の実施の形態に係る画像処理システム１の場合（図７Ａ，７Ｂ）と同様に、まず、ユーザが、携帯端末４０を、画像処理装置３０のＮＦＣリーダライタ１２にかざすことにより、ログイン認証処理が行われ、ログイン認証が成功した場合には、画像処理装置３０および携帯端末４０は、無線ネットワーク通信ＷＬＡＮを確立する（ステップＳ１０１〜Ｓ１０５）。
【０１７０】
次に、画像処理装置３０は、携帯端末４０に対してジョブリストＪＬを供給する（ステップＳ２０１）。具体的には、画像処理装置３０の情報送受信部３７Ｂは、無線ネットワーク通信部１１を介して、ジョブリストＪＬを、無線ネットワーク通信ＷＬＡＮを用いて携帯端末４０に送信する。携帯端末４０の情報送受信部４７Ａは、無線ネットワーク通信部２１を介して、画像処理装置３０から無線ネットワーク通信ＷＬＡＮを用いて送信されたジョブリストＪＬを受信する。
【０１７１】
次に、携帯端末４０の表示操作部２４は、ジョブリストＪＬを表示する（ステップＳ２０２）。ユーザは、このジョブリストＪＬから、処理対象となるジョブを選択する。
【０１７２】
図２０は、携帯端末４０の表示操作部２４が表示する表示画像２００の一例を表すものである。この表示画像２００は、ジョブ一覧表示フィールド２０１と、“選択”ボタン２０２とを含んでいる。ジョブ一覧表示フィールド２０１は、この例では、印刷ジョブの一覧を表示しており、各ジョブに係るファイル名、およびそのジョブが投入された日時についての情報を表示している。ユーザがラジオボタン２０１Ａを操作することにより、１つのジョブを選択することができる。そして、ユーザが“選択”ボタン２０２を操作することにより、携帯端末４０は、ラジオボタン１０２Ｂにより選択されたジョブが、処理対象として選択される。
【０１７３】
次に、携帯端末４０は、画像処理装置３０に対して選択されたジョブの実行要求を行う（ステップＳ２０３）。具体的には、携帯端末４０の情報送受信部４７Ａは、無線ネットワーク通信部２１を介して、ジョブの実行要求を、無線ネットワーク通信ＷＬＡＮを用いて画像処理装置３０に送信する。画像処理装置３０の情報送受信部３７Ｂは、無線ネットワーク通信部１１を介して、携帯端末４０から無線ネットワーク通信ＷＬＡＮを用いて送信されたジョブの実行要求を受信する。
【０１７４】
次に、携帯端末４０は、ユーザ設定情報ＩＵを画像処理装置３０に供給する（ステップＳ２０４）。具体的には、携帯端末４０の情報送受信部４７Ａは、無線ネットワーク通信部２１を介して、ユーザ設定情報ＩＵを、無線ネットワーク通信ＷＬＡＮを用いて画像処理装置３０に送信する。画像処理装置３０の情報送受信部３７Ｂは、無線ネットワーク通信部１１を介して、携帯端末４０から無線ネットワーク通信ＷＬＡＮを用いて送信されたユーザ設定情報ＩＵを受信する。
【０１７５】
次に、画像処理装置３０の制御部３７は、ステップＳ２０３において受け取ったジョブの実行要求に基づいて、選択されたジョブに係る印刷データＤＰに含まれるジョブ設定情報ＩＪを読み出す（ステップＳ２０５）。
【０１７６】
次に、画像処理装置３０のガイダンス情報生成部３７Ｃは、上記第１の実施の形態の場合（図７ＡにおけるステップＳ１０８〜Ｓ１１０）と同様に、ジョブ設定情報ＩＪに基づいて、リスク抽出リストＬ１を用いて、リスク要素を抽出し（ステップＳ２０６）、ユーザ設定情報ＩＵおよびステップＳ２０６において抽出したリスク要素に基づいて、要求判定リストＬ２を用いて、要求要素を判定し（ステップＳ２０７）、ジョブ設定情報ＩＪおよびステップＳ２０７において判定した要求要素に基づいて、ガイダンスリストＬ３を用いて、ガイダンス情報ＩＧを生成する（ステップＳ２０８）。
【０１７７】
次に、画像処理装置３０は、携帯端末４０に対してガイダンス情報ＩＧおよびジョブ設定情報ＩＪを供給する（ステップＳ２０９）。具体的には、画像処理装置３０の情報送受信部３７Ｂは、無線ネットワーク通信部１１を介して、ガイダンス情報ＩＧおよびジョブ設定情報ＩＪを、無線ネットワーク通信ＷＬＡＮを用いて携帯端末４０に送信する。携帯端末４０の情報送受信部４７Ａは、無線ネットワーク通信部２１を介して、画像処理装置３０から無線ネットワーク通信ＷＬＡＮを用いて送信されたガイダンス情報ＩＧおよびジョブ設定情報ＩＪを受信する。
【０１７８】
次に、携帯端末４０は、ユーザにガイダンス情報ＩＧおよび選択肢を提供する（ステップＳ１１１）。具体的には、例えば、携帯端末４０の表示操作部２４が、ガイダンス情報ＩＧおよび選択肢を提供する表示画像１００（図９）や表示画像１１０（図１０）を表示するとともに、例えば、携帯端末４０の音声入出力部２５が、ガイダンス情報ＩＧに応じた音声情報を出力する。“ジョブ設定を変更する”が選択された場合には、制御部４７は、ジョブ設定情報ＩＪ２を生成する（ステップＳ１１２）。
【０１７９】
そして、携帯端末４０は、このジョブ設定情報ＩＪ２を画像処理装置３０に供給する（ステップＳ１１３）。画像処理装置３０は、このジョブ設定情報ＩＪ２をＲＡＭ３７Ａに記憶し（ステップＳ１１４）、このジョブ設定情報ＩＪ２に基づいてジョブを実行する（ステップＳ１１５）。これ以降の動作については、上記第１の実施の形態の場合（図７Ｂ）と同様である。
【０１８０】
以上のように、画像処理システム２では、印刷データＤＰに含まれるジョブ設定情報ＩＪ、および携帯端末４０におけるユーザ設定についての情報（ユーザ設定情報ＩＵ）に基づいて、ガイダンス情報ＩＧおよび選択肢を生成するようにしたので、上記第１の実施の形態に係る画像処理システム１の場合と同様に、ユーザの利便性を高めることができる。
【０１８１】
本実施の形態では、印刷データに含まれるジョブ設定情報、および携帯端末におけるユーザ設定についての情報に基づいて、ガイダンス情報および選択肢を生成するようにしたので、ユーザの利便性を高めることができる。
【０１８２】
［変形例２−１］
上記実施の形態では、ステップＳ２０９において、画像処理装置３０は、ガイダンス情報ＩＧおよびジョブ設定情報ＩＪを携帯端末４０に送信したが、これに限定されるものではなく、これに代えて、例えば、ジョブ設定情報ＩＪを送信しなくてもよい。この場合には、携帯端末４０は、例えば、ステップＳ１１２においてジョブ設定情報ＩＪ２を生成せず、ステップＳ１１３において、ジョブ設定のうちの変更されたパラメータの設定値についての情報のみを画像処理装置３０に供給する。そして、ステップＳ１１４において、画像処理装置３０は、例えば、ジョブ設定情報ＩＪのうちの、このパラメータの設定値を置き換えることによりジョブ設定情報ＩＪ２を生成し、このジョブ設定情報ＩＪ２を記憶する。
【０１８３】
［変形例２−２］
上記実施の形態では、携帯端末４０の表示操作部２４がガイダンス情報ＩＧおよび選択肢を表示したが、これに限定されるものではない。これに代えて、例えば、画像処理装置３０の表示操作部１４がガイダンス情報ＩＧおよび選択肢を表示してもよい。
【０１８４】
［その他の変形例］
上記実施の形態に係る画像処理システム２に、上記第１の実施の形態の各変形例を適用してもよい。
【０１８５】
＜３．第３の実施の形態＞
次に、第３の実施の形態に係る画像処理システム３について説明する。本実施の形態は、サーバに格納されている印刷データＤＰに基づいて画像を形成するものである。なお、上記第２の実施の形態に係る画像処理システム２と実質的に同一の構成部分には同一の符号を付し、適宜説明を省略する。
【０１８６】
図２１は、画像処理システム３の一構成例を表すものである。画像処理システム３は、サーバ５０と、画像処理装置６０と、携帯端末７０とを備えている。サーバ５０は、いわゆるクラウドサーバであり、インターネットＩＮＥＴに接続されている。アクセスポイント９は、無線ＬＡＮの基地局である。画像処理装置６０は、アクセスポイント９を介してインターネットＩＮＥＴに接続されている。サーバ５０は、ネットワーク通信部５１と、記憶部５２と、制御部５３とを有している。
【０１８７】
ネットワーク通信部５１は、インターネットＩＮＥＴに接続され、有線ネットワークを行うものである。
【０１８８】
記憶部５２は、例えばハードディスクドライブなどを用いて構成される。記憶部５２は、１または複数の印刷データＤＰを記憶している。印刷データＤＰは、例えば、図示しないパーソナルコンピュータや画像処理装置６０からサーバ５０に供給され格納されたものである。印刷データＤＰのそれぞれは、画像データＤＴと、ジョブ設定情報ＩＪとを含んでいる。
【０１８９】
制御部５３は、サーバ５０における動作を制御するものである。制御部５３は、例えばＣＰＵ、ＲＡＭ、不揮発性のメモリなどを用いて構成される。制御部５３は、実行されるべきジョブのリストを示すジョブリストＪＬ（図示せず）についての情報をも記憶している。制御部５３は、印刷データ送受信部５３Ａを有している。印刷データ送受信部５３Ａは、インターネットＩＮＥＴおよびネットワーク通信部５１を介して、図示しないパーソナルコンピュータから送信された印刷データＤＰを受信するとともに、画像処理装置６０からの要求に応じ、印刷データＤＰおよびジョブリストＪＬを、ネットワーク通信部５１、インターネットＩＮＥＴ、およびアクセスポイント９を介して、画像処理装置６０に送信するものである。
【０１９０】
図２２は、画像処理装置６０および携帯端末７０の一構成例を表すものである。
【０１９１】
画像処理装置６０は、制御部６７を有している。制御部６７は、ＲＡＭ６７Ａと、情報送受信部３７Ｂと、ガイダンス情報生成部３７Ｃと、印刷データ送受信部６７Ｄとを有している。ＲＡＭ６７Ａは、例えば、サーバ５０から供給された印刷データＤＰを一時的に記憶するものである。印刷データ送受信部６７Ｄは、無線ネットワーク通信部１１、アクセスポイント９、およびインターネットＩＮＥＴを介して、印刷データＤＰをサーバ５０に送信し、あるいは、サーバ５０から送信された印刷データＤＰおよびジョブリストＪＬを受信するものである。
【０１９２】
携帯端末７０は、記憶部７６と、制御部７７とを有している。記憶部７６は、ユーザ設定情報ＩＵと、印刷設定情報ＩＰとを記憶している。印刷設定情報ＩＰは、携帯端末７０を操作して画像処理装置６０に印刷を行わせる場合における印刷設定についての情報を含むものであり、例えば、プリントジョブに関するジョブ設定情報ＩＪに含まれる様々なパラメータと同じパラメータのジョブ設定についての情報を含んでいる。制御部７７は、情報送受信部４７Ａを有している。
【０１９３】
ここで、画像処理装置６０は、本発明における「画像処理装置」の一具体例に対応する。制御部６７は、本発明における「制御部」の一具体例に対応する。携帯端末７０は、本発明における「情報処理端末」の一具体例に対応する。
【０１９４】
図２３Ａ〜２３Ｃは、画像処理システム３の一動作例を表すものである。上記第２の実施の形態に係る画像処理システム２の場合（図１９Ａ，１９Ｂ）と同様に、まず、ユーザが、携帯端末７０を、画像処理装置６０のＮＦＣリーダライタ１２にかざすことにより、画像処理装置６０がログイン認証処理を行い、ログイン認証が成功した場合には、画像処理装置６０および携帯端末７０は、無線ネットワーク通信ＷＬＡＮを確立する（ステップＳ１０１〜Ｓ１０５）。
【０１９５】
次に、画像処理装置６０は、サーバ５０に対してジョブリストＪＬの送信要求を行う（ステップＳ３０１）。具体的には、画像処理装置６０の印刷データ送受信部６７Ｄは、無線ネットワーク通信部１１、アクセスポイント９、およびインターネットＩＮＥＴを介して、ジョブリストＪＬの送信要求をサーバ５０に送信する。サーバ５０の印刷データ送受信部５３Ａは、ネットワーク通信部５１を介して、画像処理装置６０から送信されたジョブリストＪＬの送信要求を受け取る。
【０１９６】
次に、サーバ５０は、画像処理装置６０に対してジョブリストＪＬを供給する（ステップＳ３０２）。具体的には、サーバ５０の印刷データ送受信部５３Ａは、ネットワーク通信部５１、インターネットＩＮＥＴ、およびアクセスポイント９を介して、ジョブリストＪＬを画像処理装置６０に送信する。画像処理装置６０の印刷データ送受信部６７Ｄは、無線ネットワーク通信部１１を介して、サーバ５０から送信されたジョブリストＪＬを受信する。
【０１９７】
次に、画像処理装置６０は、携帯端末７０に対してジョブリストＪＬを供給する（ステップＳ２０１）。次に、携帯端末４０の表示操作部２４は、例えば表示画像２００（図２０）を表示することにより、ジョブリストＪＬを表示する（ステップＳ２０２）。ユーザは、このジョブリストＪＬから、処理対象となるジョブを選択する。
【０１９８】
次に、携帯端末７０は、画像処理装置６０に対して選択されたジョブの実行要求を行うとともに（ステップＳ２０３）。ユーザ設定情報ＩＵを画像処理装置６０に供給する（ステップＳ２０４）。
【０１９９】
次に、画像処理装置６０は、サーバ５０に対して、選択されたジョブに係る印刷データＤＰの送信要求を行う（ステップＳ３０３）。具体的には、画像処理装置６０の印刷データ送受信部６７Ｄは、無線ネットワーク通信部１１、アクセスポイント９、およびインターネットＩＮＥＴを介して、ジョブリストＪＬの送信要求をサーバ５０に送信する。サーバ５０の印刷データ送受信部５３Ａは、ネットワーク通信部５１を介して、画像処理装置６０から送信された、選択されたジョブに係る印刷データＤＰの送信要求を受け取る。
【０２００】
次に、サーバ５０は、画像処理装置６０に対して、選択されたジョブに係る印刷データＤＰを供給する（ステップＳ３０４）。具体的には、サーバ５０の印刷データ送受信部５３Ａは、ネットワーク通信部５１、インターネットＩＮＥＴ、およびアクセスポイント９を介して、印刷データＤＰを画像処理装置６０に送信する。画像処理装置６０の印刷データ送受信部６７Ｄは、無線ネットワーク通信部１１を介して、サーバ５０から送信された印刷データＤＰを受信する。
【０２０１】
次に、画像処理装置６０は、ステップＳ３０４において受け取った印刷データＤＰをＲＡＭ６７Ａに記憶する（ステップＳ３０５）。
【０２０２】
次に、画像処理装置６０の制御部６７は、選択されたジョブに係る印刷データＤＰに含まれるジョブ設定情報ＩＪを読み出す（ステップＳ２０５）。
【０２０３】
次に、画像処理装置６０のガイダンス情報生成部３７Ｃは、ジョブ設定情報ＩＪに基づいて、リスク抽出リストＬ１を用いて、リスク要素を抽出し（ステップＳ２０６）、ユーザ設定情報ＩＵおよびステップＳ２０６において抽出したリスク要素に基づいて、要求判定リストＬ２を用いて、要求要素を判定し（ステップＳ２０７）、ジョブ設定情報ＩＪおよびステップＳ２０７において判定した要求要素に基づいて、ガイダンスリストＬ３を用いて、ガイダンス情報ＩＧを生成する（ステップＳ２０８）。
【０２０４】
次に、画像処理装置６０は、携帯端末７０に対してガイダンス情報ＩＧおよびジョブ設定情報ＩＪを供給する（ステップＳ２０９）。次に、携帯端末７０は、ユーザにガイダンス情報ＩＧおよび選択肢を提供する（ステップＳ１１１）。具体的には、例えば、携帯端末７０の表示操作部２４が、ガイダンス情報ＩＧおよび選択肢を提供する表示画像１００（図９）や表示画像１１０（図１０）を表示するとともに、例えば、携帯端末７０の音声入出力部２５が、ガイダンス情報ＩＧに応じた音声情報を出力する。“ジョブ設定を変更する”が選択された場合には、制御部６７は、ジョブ設定情報ＩＪ２を生成する（ステップＳ１１２）。
【０２０５】
そして、携帯端末７０は、このジョブ設定情報ＩＪ２を画像処理装置６０に供給する（ステップＳ１１３）。画像処理装置６０は、このジョブ設定情報ＩＪ２をＲＡＭ６７Ａに記憶し（ステップＳ１１４）、このジョブ設定情報ＩＪ２に基づいてジョブを実行する（ステップＳ１１５）。
【０２０６】
そして、画像処理装置６０は、ジョブ設定情報ＩＪ２を携帯端末７０に供給する（ステップＳ３１１）。具体的には、画像処理装置６０の情報送受信部３７Ｂは、無線ネットワーク通信部１１を介して、ジョブ設定情報ＪＬ２を、無線ネットワーク通信ＷＬＡＮを用いて携帯端末７０に送信する。携帯端末７０の情報送受信部４７Ａは、無線ネットワーク通信部２１を介して、画像処理装置６０から無線ネットワーク通信ＷＬＡＮを用いて送信されたジョブ設定情報ＪＬ２を受信する。
【０２０７】
そして、携帯端末７０の制御部７７は、このジョブ設定情報ＪＬ２を、記憶部７６に、印刷設定情報ＩＰとして記憶する（ステップＳ３１２）。
【０２０８】
これ以降の動作については、上記第２の実施の形態の場合（図１９Ｂ）と同様である。
【０２０９】
以上のように、画像処理システム３では、サーバ５０から供給された印刷データＤＰに含まれるジョブ設定情報ＩＪ、および携帯端末４０におけるユーザ設定についての情報（ユーザ設定情報ＩＵ）に基づいて、ガイダンス情報ＩＧおよび選択肢を生成するようにしたので、上記第２の実施の形態に係る画像処理システム２の場合と同様に、ユーザの利便性を高めることができる。
【０２１０】
また、画像処理システム３では、ジョブを実行する際に使用したジョブ設定情報ＩＪ２を用いて、携帯端末７０に記憶された印刷設定情報ＩＰを更新した。これにより、ユーザは、次に、携帯端末７０を操作することにより同様のジョブを実行する場合に、この印刷設定情報ＩＰを用いることができるので、容易に、より良い出力結果を得ることができる。その結果、画像処理システム３では、ユーザの利便性を高めることができる
【０２１１】
本実施の形態では、サーバから供給された印刷データに含まれるジョブ設定情報、および携帯端末におけるユーザ設定についての情報に基づいて、ガイダンス情報および選択肢を生成するようにしたので、ユーザの利便性を高めることができる。
【０２１２】
［変形例３−１］
上記実施の形態では、ステップＳ２０９において、画像処理装置６０は、ガイダンス情報ＩＧおよびジョブ設定情報ＩＪを携帯端末７０に送信したが、これに限定されるものではなく、これに代えて、例えば、ジョブ設定情報ＩＪを送信しなくてもよい。この場合には、携帯端末７０は、例えば、ステップＳ１１２においてジョブ設定情報ＩＪ２を生成せず、ステップＳ１１３において、ジョブ設定のうちの変更されたパラメータの設定値についての情報のみを画像処理装置６０に供給する。そして、ステップＳ１１４において、画像処理装置６０は、例えば、ジョブ設定情報ＩＪのうちの、このパラメータの設定値を置き換えることによりジョブ設定情報ＩＪ２を生成し、このジョブ設定情報ＩＪ２を記憶する。そして、画像処理装置６０は、ステップＳ３１１において、このジョブ設定情報ＩＪ２を携帯端末７０に供給する。
【０２１３】
［変形例３−２］
上記実施の形態では、携帯端末７０の表示操作部２４がガイダンス情報ＩＧおよび選択肢を表示したが、これに限定されるものではない。これに代えて、例えば、画像処理装置６０の表示操作部１４がガイダンス情報ＩＧおよび選択肢を表示してもよい。
【０２１４】
［変形例３−３］
上記実施の形態では、印刷データＤＰをクラウドサーバであるサーバ５０に格納したが、これに限定されるものではなく、これに代えて、ファイルサーバに格納してもよいし、パーソナルコンピュータに格納してもよい。
【０２１５】
［その他の変形例］
上記実施の形態に係る画像処理システム３に、上記第１の実施の形態の各変形例を適用してもよい。
【０２１６】
＜４．第４の実施の形態＞
次に、第４の実施の形態に係る画像処理システム４について説明する。本実施の形態は、画像処理装置に対して画像処理を指示するアプリケーションソフトウェアにおける、画像処理の初期設定情報に基づいて、ガイダンス情報ＩＧを生成するものである。すなわち、上記第１の実施の形態では、投入されたジョブの設定についての情報（ジョブ設定情報ＩＪ）に基づいてガイダンス情報ＩＧを生成したが、本実施の形態では、アプリケーションソフトウェアを起動したときの、画像処理の初期設定情報に基づいて、ガイダンス情報ＩＧを生成するものである。なお、上記第１の実施の形態に係る画像処理システム１と実質的に同一の構成部分には同一の符号を付し、適宜説明を省略する。
【０２１７】
図２４は、画像処理システム４の一構成例を表すものである。画像処理システム４は、画像処理装置３１０と、携帯端末３２０とを備えている。
【０２１８】
画像処理システム４では、携帯端末３２０に、画像処理装置３１０に対して画像処理を指示するアプリケーションソフトウェア（後述するアプリケーションソフトウェア３２８）がインストールされる。そして、携帯端末３２０は、このアプリケーションソフトウェア３２８を起動したときに、そのアプリケーションソフトウェア３２８における画像処理の初期設定情報（後述する初期設定情報ＩＳ）と、この携帯端末３２０におけるユーザ設定についての情報（ユーザ設定情報ＩＵ２）とに基づいて、ユーザに提供する情報（ガイダンス情報ＩＧ）を生成し、このガイダンス情報ＩＧを表示操作部に表示する。このガイダンス情報ＩＧは、例えば、初期設定情報ＩＳの代替案となりえる設定についての情報を含んでいる。ユーザがそのガイダンス情報ＩＧが示す提案に従う場合には、携帯端末３２０は、ユーザ操作に基づいて、この初期設定情報ＩＳを更新するようになっている。
【０２１９】
画像処理装置３１０は、無線ネットワーク通信部１１と、ＮＦＣリーダライタ１２と、ＦＡＸ通信部１３と、表示操作部１４と、画像読取部１５と、画像形成部１６と、制御部３１７とを有している。制御部３１７は、第１の実施の形態に係る制御部１７と同様に、画像処理装置３１０における動作を制御するものであり、例えばＣＰＵ、ＲＡＭ、不揮発性のメモリなどを用いて構成される。
【０２２０】
携帯端末３２０は、無線ネットワーク通信部２１と、ＮＦＣ通信部２２と、電話通信部２３と、表示操作部２４と、音声入出力部２５と、制御部３２７と、記憶部３２６とを有している。
【０２２１】
制御部３２７は、携帯端末３２０における動作を制御するものである。制御部３２７は、例えばＣＰＵ、ＲＡＭ、不揮発性のメモリなどを用いて構成される。携帯端末３２０には、オペレーティングシステムおよびアプリケーションソフトウェア３２８がインストールされている。オペレーティングシステムはソフトウェア管理部３２９を含んでいる。
【０２２２】
アプリケーションソフトウェア３２８は、ユーザの操作に基づいて、画像処理装置３１０に対して画像処理を指示するソフトウェアである。アプリケーションソフトウェア３２８は、ユーザ設定取得部３２８Ａと、ガイダンス情報生成部３２８Ｂと、初期設定管理部３２８Ｃと、画像処理指示部３２８Ｄとを有している。
【０２２３】
ユーザ設定取得部３２８Ａは、記憶部３２６に記憶されたユーザ設定情報ＩＵ２を取得するものである。ガイダンス情報生成部３２８Ｂは、ユーザ設定情報ＩＵ２および初期設定情報ＩＳに基づいてガイダンス情報ＩＧを生成するものである。初期設定管理部３２８Ｃは、記憶部３２６に記憶された初期設定情報ＩＳを管理するものである。画像処理指示部３２８Ｄは、画像処理装置３１０に対して画像処理を指示するものである。
【０２２４】
ソフトウェア管理部３２９は、携帯端末３２０におけるアプリケーションソフトウェアのインストール処理やアンインストール処理を行うとともに、携帯端末３２０にインストールされている様々なソフトウェアを管理するものである。
【０２２５】
記憶部３２６は、ユーザ設定情報ＩＵ２と、初期設定情報ＩＳとを記憶している。
【０２２６】
図２５は、ユーザ設定情報ＩＵ２の一例を表すものである。ユーザ設定情報ＩＵ２は、例えば、“文字サイズ”、“アイコンサイズ”、“グレースケール”などの様々なユーザ設定項目（パラメータ）についての設定値を含んでいる。
【０２２７】
“文字サイズ”は、携帯端末３２０の表示操作部２４に表示される文字のサイズを示し、この例では“大”に設定されている。この“文字サイズ”は、例えば、“大”、“中”、“小”のいずれかに設定される。
【０２２８】
“アイコンサイズ”は、携帯端末３２０の表示操作部２４に表示されるアイコンのサイズを示し、この例では“大”に設定されている。この“アイコンサイズ”は、例えば、“大”、“中”、“小”のいずれかに設定される。
【０２２９】
“グレースケール”は、携帯端末３２０の表示操作部２４における表示方法を示し、この例では“ＯＮ”に設定されている。この“グレースケール”は、例えば、“ＯＮ”、“ＯＦＦ”のいずれかに設定される。“グレースケール”を“ＯＮ”にすることにより、表示操作部２４はグレースケール表示を行い、“グレースケール”を“ＯＦＦ”にすることにより、表示操作部２４はカラー表示を行う。
【０２３０】
初期設定情報ＩＳ（図２４）は、画像処理装置３１０において行われる画像処理の様々な設定項目についての設定値の初期値についての情報である。この初期設定情報ＩＳは、アプリケーションソフトウェア３２８を起動したときに、アプリケーションソフトウェア３２８により読みこまれるようになっている。
【０２３１】
図２６は、初期設定情報ＩＳの一例を表すものである。初期設定情報ＩＳは、この例では、３つの設定項目（“画像印刷”、“テキスト印刷”、および“スキャン”）に係る設定情報を含んでいる。
【０２３２】
“画像印刷”についての設定項目は、“カラー設定”、“集約率”、“トナーセーブ”、“両面印刷”、“ドキュメントタイプ”などの詳細な設定項目を含んでいる。“カラー設定”は、例えば“カラー”または“モノクロ”に設定される。“集約率”は、例えば“１ＵＰ”、“２ＵＰ”、“４ＵＰ”などのうちのいずれかに設定される。“トナーセーブ”は、少ないトナー（現像剤）を使用して印刷を行うかどうかを示すものであり、例えば“ＯＮ”または“ＯＦＦ”に設定される。“両面印刷”は、例えば“ＯＮ”または“ＯＦＦ”に設定される。“ドキュメントタイプ”は、例えば“文字”または“写真”に設定される。
【０２３３】
“テキスト印刷”についての設定項目は、“フォントサイズ”、“行間”などの詳細な設定項目を含んでいる。“フォントサイズ”および“行間”は、任意の値に設定される。
【０２３４】
“スキャン”についての設定項目は、“カラー設定”、“解像度”などの詳細な設定項目を含んでいる。カラー設定”は、例えば“カラー”または“モノクロ”に設定される。“解像度”は、例えば“１００ｄｐｉ×１００ｄｐｉ”、“２００ｄｐｉ×２００ｄｐｉ”、“３００ｄｐｉ×３００ｄｐｉ”などのうちのいずれか１つに設定される。
【０２３５】
この初期設定情報ＩＳにおけるこれらの設定項目の設定値は、例えば、画像処理装置３１０に対して画像処理の指示を行う際にユーザがしばしば使用する設定値に設定されることが望ましい。アプリケーションソフトウェア３２８は、起動される度に、この初期設定情報ＩＳに含まれる設定値を、各設定項目についての設定値の初期値として使用する。ユーザは、例えば、これらの設定値のうち、変更する必要がある設定値のみを変更する。そして、アプリケーションソフトウェア３２８は、各設定項目の設定値を用いて、画像処理装置３１０に対して画像処理の指示を行う。これにより、画像処理システム４では、アプリケーションソフトウェア３２８を起動する度に、ユーザが各設定項目の設定値を全て入力する手間を省くことができるようになっている。
【０２３６】
ここで、画像処理装置３１０は、本発明における「画像処理装置」の一具体例に対応する。携帯端末３２０は、本発明における「情報処理端末」の一具体例に対応する。記憶部３２６は、本発明における「記憶部」の一具体例に対応する。制御部３２７は、本発明における「取得部」および「制御部」の一具体例に対応する。初期設定情報ＩＳは、本発明における「処理設定情報」の一具体例に対応する。ユーザ設定情報ＩＵ２は、本発明における「端末設定情報」の一具体例に対応する。
【０２３７】
図２７は、携帯端末３２０がアプリケーションソフトウェア３２８を起動したときの、携帯端末３２０の動作を表すものである。
【０２３８】
まず、携帯端末３２０の制御部３２７は、ユーザ操作に基づいてアプリケーションソフトウェア３２８を起動する（ステップＳ４０１）。このとき、アプリケーションソフトウェア３２８は、記憶部３２６から初期設定情報ＩＳを読み出す。
【０２３９】
次に、アプリケーションソフトウェア３２８は、アプリケーションソフトウェア３２８がインストールされた後に初めてアプリケーションソフトウェア３２８が起動されたかどうかを確認する（ステップＳ４０２）。初めて起動されたのではない場合（ステップＳ４０２において“Ｎ”）には、このフローは終了する。
【０２４０】
ステップＳ４０２において、アプリケーションソフトウェア３２８がインストールされた後に初めてアプリケーションソフトウェア３２８が起動された場合（ステップＳ４０２において“Ｙ”）には、ユーザ設定取得部３２８Ａは、記憶部３２６に記憶されたユーザ設定情報ＩＵ２を取得する（ステップＳ４０３）。
【０２４１】
次に、ガイダンス情報生成部３２８Ｂは、初期設定情報ＩＳ、およびステップＳ４０３において取得したユーザ設定情報ＩＵ２に基づいて、ガイダンス情報ＩＧを生成する（ステップＳ４０４）。
【０２４２】
図２８は、ステップＳ４０４におけるガイダンス情報ＩＧを生成する処理の一例を表すものである。
【０２４３】
まず、ガイダンス情報生成部３２８Ｂは、ユーザ設定情報ＩＵ２に含まれる“文字サイズ”についての設定値および“アイコンサイズ”についての設定値に基づいて、表示操作部２４における表示サイズを判断する（ステップＳ４１１）。
【０２４４】
図２９は、“文字サイズ”および“アイコンサイズ”と、表示サイズとの対応関係の一例を表すものである。この例では、ガイダンス情報生成部３２８Ｂは、“文字サイズ”の設定値および“アイコンサイズ”の設定値の両方が“小”である場合や、“文字サイズ”の設定値および“アイコンサイズ”の設定値の一方が“小”であり他方が“中”である場合において、表示サイズは“小”であると判断する。また、ガイダンス情報生成部３２８Ｂは、“文字サイズ”の設定値および“アイコンサイズ”の設定値の両方が“大”である場合や、“文字サイズ”の設定値および“アイコンサイズ”の設定値のうちの一方が“大”であり他方が“中”である場合において、表示サイズは“大”であると判断する。また、ガイダンス情報生成部３２８Ｂは、文字サイズ”の設定値および“アイコンサイズ”の設定値の両方が“中”である場合や、“文字サイズ”の設定値および“アイコンサイズ”の設定値のうちの一方が“小”であり他方が“大”である場合において、表示サイズは“中”であると判断する。
【０２４５】
次に、ガイダンス情報生成部３２８Ｂは、ステップＳ４１１において判断した表示サイズを確認する（ステップＳ４１２）。表示サイズが“中”である場合（ステップＳ４１２において“中”）には、ステップＳ４１５に進む。
【０２４６】
ステップＳ４１２において、表示サイズが“小”である場合（ステップＳ４１２において“小”）には、ガイダンス情報生成部３２８Ｂは、ガイダンス情報ＩＧに、“テキスト印刷”における“フォントサイズ”の設定値を“２”減らす旨の情報を追加する（ステップＳ４１３）。すなわち、ガイダンス情報生成部３２８Ｂは、表示サイズが“小”である場合には、例えば、ユーザは小さい文字を読むことができる判断し、“フォントサイズ”の設定値を小さくする。そして、ステップＳ４１５に進む。
【０２４７】
また、ステップＳ４１２において、表示サイズが“大”である場合（ステップＳ４１２において“大”）には、ガイダンス情報生成部３２８Ｂは、ガイダンス情報ＩＧに、“テキスト印刷”における“フォントサイズ”の設定値を“２”増やす旨の情報を追加する（ステップＳ４１４）。すなわち、ガイダンス情報生成部３２８Ｂは、表示サイズが“大”である場合には、例えば、ユーザは小さい文字を読みにくいと判断し、“フォントサイズ”の設定値を大きくする。その際、そして、ステップＳ４１５に進む。
【０２４８】
次に、ガイダンス情報生成部３２８Ｂは、ユーザ設定情報ＩＵ２に含まれる“グレースケール”についての設定値を確認する（ステップＳ４１５）。“グレースケール”の設定値が“ＯＦＦ”である場合（ステップＳ４１５において“ＯＦＦ”）には、ステップＳ４１７に進む。また、“グレースケール”の設定値が“ＯＮ”である場合（ステップＳ４１５において“ＯＮ”）には、ガイダンス情報生成部３２８Ｂは、初期設定情報ＩＳに基づいて、ガイダンス情報ＩＧに、“画像印刷"および“スキャン”における“カラー設定”の設定値を“モノクロ”に設定する旨の情報を追加する（ステップＳ４１６）。すなわち、ガイダンス情報生成部３２８Ｂは、“グレースケール”の設定値が“ＯＮ”である場合には、例えば、ユーザは色を認識しにくいと判断し、“カラー設定”の設定値を“モノクロ”に設定する。例えば、初期設定情報ＩＳにおいて、“画像印刷"および“スキャン”における“カラー設定”の設定値がすでに“モノクロ”である場合には、ガイダンス情報生成部３２８Ｂは、ガイダンス情報ＩＧに、“カラー設定”の設定値を“モノクロ”に設定する旨の情報を追加しない。すなわち、この場合には、初期設定情報ＩＳにおいて“カラー設定”の設定値がすでに“モノクロ”であるので、初期設定情報ＩＳの設定値を変える必要がないからである。
【０２４９】
このようにして、ガイダンス情報生成部３２８Ｂはガイダンス情報ＩＧを生成し、このフローは終了する
【０２５０】
次に、図２７に示したように、初期設定管理部３２８Ｃは、ユーザにガイダンス情報ＩＧを提供する（ステップＳ４０５）。具体的には、例えば、携帯端末３２０の表示操作部２４が、この初期設定管理部３２８Ｃからの指示に基づいて、ガイダンス情報ＩＧを提供する表示画像１６０を表示する。
【０２５１】
図３０は、表示画像１６０の一例を表すものである。この例では、ユーザ設定情報ＩＵ２において、図２５に示したように、“文字サイズ”が“大”に設定され、“アイコンサイズ”が“大”に設定され、“グレースケール”が“ＯＮ”に設定されている。よって、ガイダンス情報ＩＧは、“画像印刷"における“カラー設定”の設定値を“モノクロ”に設定する旨の情報、“テキスト印刷”における“フォントサイズ”の設定値を“２”増やす旨の情報、および“スキャン”における“カラー設定”の設定値を“モノクロ”に設定する旨の情報を含んでいる。初期設定管理部３２８Ｃは、表示画像１６０を用いて、ユーザに対して、このガイダンス情報ＩＧに対応する提案を行う。具体的には、初期設定管理部３２８Ｃは、“画像印刷”における“カラー設定”の設定値を、現在の設定値である“カラー”から“モノクロ”に変更することを提案し、“テキスト印刷”における“フォントサイズ”の設定値を、現在の設定値である“１４”から“１６”に変更することを提案し、“スキャン”における“カラー設定”の設定値を、現在の設定値である“カラー”から“モノクロ”に変更することを提案する。
【０２５２】
表示画像１６０では、設定項目ごとにチェックボックス１６１が設けられている。この例では、これらのチェックボックスには、あらかじめチェックが設定されている。ユーザは、このチェックボックスを操作することにより、設定項目ごとに、提案に従うかどうかを入力することができる。ユーザが“変更する”ボタン１６２を操作した場合には、初期設定管理部３２８Ｃは、チェックボックス１６１の状態に応じて初期設定情報ＩＳを更新する。また、ユーザが“変更しない”ボタン１６３を操作した場合には、初期設定管理部３２８Ｃは、このガイダンス情報ＩＧの内容を破棄する。この場合には、初期設定管理部３２８Ｃは、初期設定情報ＩＳを更新しない。
【０２５３】
ユーザがそのガイダンス情報ＩＧが示す提案に従う場合には、ユーザは、“変更する”ボタン１６２を操作する。これにより、初期設定管理部３２８Ｃは、そのユーザ操作に基づいて、初期設定情報ＩＳを更新する（ステップＳ４０６）。
【０２５４】
以上で、このフローは終了する。これ以降、アプリケーションソフトウェア３２８は、起動される度に、この初期設定情報ＩＳに含まれる設定値を、各設定項目についての設定値の初期値として使用することができる。
【０２５５】
図３１は、画像処理システム４の一動作例を表すものである。この例では、以上のように初期設定情報ＩＳを設定した後に、ユーザが携帯端末３２０を操作することにより、画像処理装置３１０に印刷ジョブを投入している。
【０２５６】
上記第１の実施の形態に係る画像処理システム１の場合（図７Ａ）と同様に、まず、ユーザが、携帯端末３２０を、画像処理装置３１０のＮＦＣリーダライタ１２にかざすことにより、画像処理装置３１０がログイン認証処理を行い、ログイン認証が成功した場合には、画像処理装置３１０および携帯端末３２０は、無線ネットワーク通信ＷＬＡＮを確立する（ステップＳ１０１〜Ｓ１０５）。
【０２５７】
次に、ユーザが、携帯端末３２０を操作し、制御部３２７がアプリケーションソフトウェア３２８を起動する。この例では、アプリケーションソフトウェア３２８がインストールされた後に初めて起動されたのではないので（図２７におけるステップＳ４０２において“Ｎ”）、アプリケーションソフトウェア３２８は、ガイダンス情報ＩＧを生成しない。アプリケーションソフトウェア３２８は、起動時に、記憶部３２６に記憶された初期設定情報ＩＳに含まれる設定値を、各設定項目についての設定値の初期値として使用する。そして、ユーザは、例えば、これらの設定値のうち、変更する必要がある設定値のみを変更する。そして、ユーザが携帯端末３２０を操作して印刷指示を行うと、アプリケーションソフトウェア３２８の画像処理指示部３２８Ｄは、このユーザ操作に基づいて、各設定項目の設定値を用いて、印刷データＤＰを生成する（ステップＳ４２１）。この印刷データＤＰは、画像データＤＴと、各設定項目の設定値を含むジョブ設定情報ＩＪとを含んでいる。
【０２５８】
そして、携帯端末３２０は、この印刷データＤＰを画像処理装置３１０に供給する（ステップＳ４２２）。具体的には、携帯端末３２０は、無線ネットワーク通信部２１を介して、印刷データＤＰを、無線ネットワーク通信ＷＬＡＮを用いて画像処理装置３１０に送信する。画像処理装置３１０は、無線ネットワーク通信部１１を介して、携帯端末３２０から無線ネットワーク通信ＷＬＡＮを用いて送信された印刷データＤＰを受信する。
【０２５９】
次に、画像処理装置３１０は、受信した印刷データＤＰに基づいて印刷ジョブを実行する（ステップＳ４２３）。
【０２６０】
そして、ユーザが、例えば、携帯端末３２０の表示操作部２４を操作してログオフ操作を行うことにより、携帯端末３２０が、無線ネットワーク通信ＷＬＡＮを用いて、画像処理装置１０に対してログオフ要求を行う（ステップＳ１１６）。そして、画像処理装置３１０は、ログオフ処理を行う（ステップＳ１１７）。画像処理装置３１０は、近距離無線通信ＷＮＦＣを用いて、携帯端末３２０に対してログオフ完了通知を行う（ステップＳ１１８）。そして、携帯端末３２０は、ログオフが完了したことをユーザに通知する（ステップＳ１１９）。そして、画像処理装置３１０および携帯端末３２０は、無線ネットワーク通信ＷＬＡＮを終了する（ステップＳ１２０）。
【０２６１】
以上のように、画像処理システム４では、初期設定情報ＩＳおよびユーザ設定情報ＩＵ２に基づいて、ガイダンス情報ＩＧを生成するようにした。これにより、画像処理システム４では、ユーザ設定情報ＩＵ２に基づいて、画像処理装置３１０が画像処理を行う際にユーザにとって必要な設定情報を推測し、ユーザに提案することができる。例えば、携帯端末３２０は、ユーザ設定情報ＩＵ２における“文字サイズ”の設定値および“アイコンサイズ”の設定値が“大”である場合には、ユーザは小さい文字を読みにくいと推測し、印刷時の“フォントサイズ”を大きくするように提案する。また、例えば、携帯端末３２０は、ユーザ設定情報ＩＵ２における“グレースケール”の設定値が“ＯＮ”である場合には、ユーザが色を認識しにくいと推測し、モノクロ印刷を提案する。これにより、例えば、印刷した文書が読みにくいために、ユーザが設定を変更して再印刷を行う手間を省くことができる。その結果、画像処理システム４では、ユーザの利便性を高めることができる。
【０２６２】
以上のように本実施の形態では、初期設定情報およびユーザ設定情報に基づいて、ガイダンス情報を生成するようにしたので、ユーザの利便性を高めることができる。
【０２６３】
［変形例４−１］
上記実施の形態では、アプリケーションソフトウェア３２８がインストールされた後に初めてアプリケーションソフトウェア３２８が起動された場合に、ガイダンス情報ＩＧを生成するようにしたが、これに限定されるものではない。例えば、アプリケーションソフトウェア３２８がインストールされたときに、ガイダンス情報ＩＧを生成してもよい。また、図３２に示すように、初めて起動されたのではない場合において（ステップＳ４０２において“Ｎ”）、ユーザ設定取得部３２８Ａが、ユーザ設定情報ＩＵ２を取得し（ステップＳ４０８）、このユーザ設定情報ＩＵ２が変更された場合（ステップＳ４０９において“Ｙ”）には、ガイダンス情報生成部３２８Ｂがガイダンス情報ＩＧを生成してもよい。これにより、例えば、ユーザがその携帯端末３２０を長年にわたり使用する場合において、ユーザ設定情報ＩＵ２が変更されたときに、ガイダンス情報ＩＧが生成され、初期設定情報ＩＳが更新されるので、ユーザの利便性を高めることができる。
【０２６４】
［変形例４−２］
上記実施の形態では、携帯端末３２０は、図３０に示した表示画像１６０のように、ガイダンス情報ＩＧに基づいて設定値を表示したが、これに限定されるものではなく、例えば、図３３に示す表示画像１６０Ａのように、設定値を変更できるようにしてもよい。この例では、初期設定管理部３２８Ｃは、“テキスト印刷”における“フォントサイズ”の設定値を、現在の設定値である“１４”から“１６”に変更することを提案している。この例では、プルダウンボックス１６４が設けられており、ユーザは、プルダウンボックス１６４を操作することにより、“フォントサイズ”についての複数の設定値のうちの１つを選択することができる。この例では、図２８のステップＳ４１４において、“フォントサイズ”の現在の設定値“１４”に“２”を加えているので、このプルダウンボックス１６４には、例えば初期状態において“１６” が選択され表示される。そして、携帯端末３２０は、ユーザがこのプルダウンボックス１６４を操作することにより、図３４に示すように、フォントサイズ”についての複数の設定値を表示する。この例では、“フォントサイズ”の現在の設定値よりも大きい複数の設定値が表示される。なお、これに限定されるものではなく、携帯端末３２０は、現在の設定値より小さい複数の設定値と現在の設定値より大きい複数の設定値の両方を表示してもよい。
【０２６５】
＜５．第５の実施の形態＞
次に、第５の実施の形態に係る画像処理システム５について説明する。本実施の形態は、ユーザ設定情報に基づいて、省エネルギーの程度を示す省エネルギーパラメータを求め、この省エネルギーパラメータに基づいてガイダンス情報ＩＧを生成するものである。なお、上記第４の実施の形態に係る画像処理システム４と実質的に同一の構成部分には同一の符号を付し、適宜説明を省略する。
【０２６６】
図２４に示したように、画像処理システム５は、携帯端末３４０を備えている。携帯端末３４０は、制御部３４７と、記憶部３４６とを有している。
【０２６７】
制御部３４７は、携帯端末３４０における動作を制御するものである。携帯端末３４０には、アプリケーションソフトウェア３４８がインストールされている。
【０２６８】
アプリケーションソフトウェア３４８は、ユーザの操作に基づいて、画像処理装置３１０に対して画像処理を指示するソフトウェアである。アプリケーションソフトウェア３４８は、ユーザ設定取得部３４８Ａと、ガイダンス情報生成部３４８Ｂとを有している。ユーザ設定取得部３４８Ａは、記憶部３４６に記憶されたユーザ設定情報ＩＵ３を取得するものである。ガイダンス情報生成部３４８Ｂは、ユーザ設定情報ＩＵ３および初期設定情報ＩＳに基づいてガイダンス情報ＩＧを生成するものである。具体的には、ガイダンス情報生成部３４８Ｂは、ユーザ設定情報ＩＵ３に基づいて、省エネルギーの程度を示す省エネルギーパラメータＸを求め、この省エネルギーパラメータＸに基づいてガイダンス情報ＩＧを生成するようになっている。
【０２６９】
記憶部３４６は、ユーザ設定情報ＩＵ３と、初期設定情報ＩＳとを記憶している。
【０２７０】
図３５は、ユーザ設定情報ＩＵ３の一例を表すものである。ユーザ設定情報ＩＵ３は、例えば、“パネルの明るさ”、“省電力モード”、“表示停止までの時間”などの様々なユーザ設定項目（パラメータ）についての設定値を含んでいる。
【０２７１】
“パネルの明るさ”は、携帯端末３４０の表示操作部２４における表示の明るさを示し、この例では“３０％”に設定されている。この“パネルの明るさ”は、例えば、“０％”以上“１００％”以下の任意の値に設定される。
【０２７２】
“省電力モード”は、携帯端末３４０の動作の一部を制限することにより、携帯端末３４０における消費電力を低減する動作モードを示し、この例では“ＯＮ”に設定されている。この“省電力モード”は、例えば、“ＯＮ”または“ＯＦＦ”に設定される。
【０２７３】
“表示停止までの時間”は、ユーザが携帯端末３４０の表示操作部２４の操作を終えてから表示操作部２４が表示を停止するまでの時間を示し、この例では“１５秒”に設定されている。この“スリープ設定”は、例えば、“１５秒”、“３０秒”、“１分”、“２分”、“５分”、“１０分”、“３０分”のいずれかに設定される。
【０２７４】
ここで、携帯端末３４０は、本発明における「情報処理端末」の一具体例に対応する。記憶部３４６は、本発明における「記憶部」の一具体例に対応する。制御部３４７は、本発明における「取得部」および「制御部」の一具体例に対応する。ユーザ設定情報ＩＵ３は、本発明における「端末設定情報」の一具体例に対応する。
【０２７５】
図３６Ａ，３６Ｂ，３６Ｃは、ステップＳ４０４（図２７）におけるガイダンス情報ＩＧを生成する処理の一例を表すものである。
【０２７６】
まず、ガイダンス情報生成部３４８Ｂは、省エネルギーパラメータＸを初期化（Ｘ＝０）する（ステップＳ４３１）。
【０２７７】
次に、ガイダンス情報生成部３４８Ｂは、ユーザ設定情報ＩＵ３に含まれる“省電力モード”についての設定値を確認する（ステップＳ４３２）。“省電力モード”の設定値が“ＯＦＦ”である場合（ステップＳ４３２において“ＯＦＦ”）には、ステップＳ４３４に進む。また、“省電力モード”の設定値が“ＯＮ”である場合（ステップＳ４３２において“ＯＮ”）には、ガイダンス情報生成部３４８Ｂは、省エネルギーパラメータＸに“１０”を加算する（ステップＳ４３３）。すなわち、ガイダンス情報生成部３４８Ｂは、“省電力モード”の設定値が“ＯＮ”である場合には、例えば、ユーザは省エネルギー意識が高いと判断し、省エネルギーパラメータＸを増やす。そして、ステップＳ４３４に進む。
【０２７８】
次に、ガイダンス情報生成部３４８Ｂは、ユーザ設定情報ＩＵ３に含まれる“パネルの明るさ”についての設定値を確認する（ステップＳ４３４）。“パネルの明るさ”の設定値が“５０％”以上である場合（ステップＳ４３４において“５０％以上”）にはステップＳ４３６に進む。また、“パネルの明るさ”の設定値が“５０％”未満である場合（ステップＳ４３４において“５０％未満”）には、ガイダンス情報生成部３４８Ｂは、省エネルギーパラメータＸに、“（５０−Ａ）／１０”を加算する（ステップＳ４３５）。ここで、"Ａ"は“パネルの明るさ”の設定値である。すなわち、ガイダンス情報生成部３４８Ｂは、“パネルの明るさ”の設定値が“５０％”未満である場合には、例えば、ユーザは省エネルギー意識が高いと判断し、“パネルの明るさ”の設定値が低いほど、省エネルギーパラメータＸを増やす。そして、ステップＳ４３６に進む。
【０２７９】
次に、ガイダンス情報生成部３４８Ｂは、ユーザ設定情報ＩＵ３に含まれる“表示停止までの時間”についての設定値を確認する（ステップＳ４３６）。“表示停止までの時間”の設定値が“１分”以上である場合（ステップＳ４３６において“１分以上”）には、ステップＳ４４０に進む。ステップＳ４３６において、“表示停止までの時間”の設定値が“１分”未満である場合（ステップＳ４３６において“１分未満”）には、ガイダンス情報生成部３４８Ｂは、“表示停止までの時間”の設定値が何秒であるかを確認する（ステップＳ４３７）。“表示停止までの時間”の設定値が“１５秒”である場合（ステップＳ４３７において“１５秒”）には、ガイダンス情報生成部３４８Ｂは、省エネルギーパラメータＸに“５”を加算し（ステップＳ４３８）、“表示停止までの時間”の設定値が“３０秒”である場合（ステップＳ４３７において“３０秒”）には、ガイダンス情報生成部３４８Ｂは、省エネルギーパラメータＸに“２”を加算する（ステップＳ４３９）。すなわち、ガイダンス情報生成部３４８Ｂは、“表示停止までの時間”の設定値が“１５秒”である場合には、例えば、ユーザは省エネルギー意識が高いと判断し、“表示停止までの時間”の設定値が“３０秒”である場合には、例えば、ユーザは省エネルギー意識がやや高いと判断し、省エネルギーパラメータＸを“表示停止までの時間”の設定値に応じて増やす。そして、ステップＳ４４０に進む。
【０２８０】
次に、ガイダンス情報生成部３４８Ｂは、省エネルギーパラメータＸがしきい値Ｘth1より大きい（Ｘ＞Ｘth1）かどうかを確認する（ステップＳ４４０）。省エネルギーパラメータＸがしきい値Ｘth1より大きくない場合（ステップＳ４４０において“Ｎ”）には、ステップＳ４４４に進む。ステップＳ４４０において、省エネルギーパラメータＸがしきい値Ｘth1より大きい場合（ステップＳ４４０において“Ｙ”）には、ガイダンス情報生成部３４８Ｂは、省エネルギーパラメータＸがしきい値Ｘth11より大きい（Ｘ＞Ｘth11）かどうかを確認する（ステップＳ４４１）。このしきい値Ｘth11は、しきい値Ｘth1より大きい（Ｘth11＞Ｘth1）。省エネルギーパラメータＸがしきい値Ｘth11より大きい場合（ステップＳ４４１において“Ｙ”）には、ガイダンス情報生成部３４８Ｂは、初期設定情報ＩＳに基づいて、ガイダンス情報ＩＧに、“画像印刷”における“集約率”の設定値を“４ＵＰ”に設定する旨の情報を追加し（ステップＳ４４２）、省エネルギーパラメータＸがしきい値Ｘth11より大きくない場合（ステップＳ４４１において“Ｎ”）には、ガイダンス情報生成部３４８Ｂは、初期設定情報ＩＳに基づいて、ガイダンス情報ＩＧに、“画像印刷”における“集約率”の設定値を“２ＵＰ”に設定する旨の情報を追加する（ステップＳ４４３）。すなわち、ガイダンス情報生成部３４８Ｂは、省エネルギーパラメータＸがしきい値Ｘth1より大きい場合には、ユーザは省エネルギー意識が高いので、印刷枚数を少なくすべく、“集約率”の設定値を省エネルギーパラメータＸに応じた値に設定する。例えば、ガイダンス情報生成部３４８Ｂは、初期設定情報ＩＳにおいて、“画像印刷"における“集約率”の設定値がすでに“４ＵＰ”である場合には、ガイダンス情報ＩＧに、“集約率”の設定値を“４ＵＰ”に設定する旨の情報を追加せず、初期設定情報ＩＳにおいて、“画像印刷"における“集約率”の設定値がすでに“２ＵＰ”である場合には、ガイダンス情報ＩＧに、“集約率”の設定値を“２ＵＰ”に設定する旨の情報を追加しない。そして、ステップＳ４４４に進む。
【０２８１】
次に、ガイダンス情報生成部３４８Ｂは、省エネルギーパラメータＸがしきい値Ｘth2より大きい（Ｘ＞Ｘth2）かどうかを確認する（ステップＳ４４４）。省エネルギーパラメータＸがしきい値Ｘth2より大きくない場合（ステップＳ４４４において“Ｎ”）には、ステップＳ４４６に進む。ステップＳ４４４において、省エネルギーパラメータＸがしきい値Ｘth2より大きい場合（ステップＳ４４４において“Ｙ”）には、ガイダンス情報生成部３４８Ｂは、初期設定情報ＩＳに基づいて、ガイダンス情報ＩＧに、“画像印刷”における“トナーセーブ”の設定値を“ＯＮ”に設定する旨の情報を追加する（ステップＳ４４５）。すなわち、ガイダンス情報生成部３４８Ｂは、省エネルギーパラメータＸがしきい値Ｘth2より大きい場合には、ユーザは省エネルギー意識が高いので、トナーの使用量を少なくすべく、“トナーセーブ”の設定値を“ＯＮ”に設定する。例えば、ガイダンス情報生成部３４８Ｂは、初期設定情報ＩＳにおいて、“画像印刷”における“トナーセーブ”の設定値がすでに“ＯＮ”である場合には、ガイダンス情報ＩＧに、“トナーセーブ”の設定値を“ＯＮ”に設定する旨の情報を追加しない。そして、ステップＳ４４６に進む。
【０２８２】
次に、ガイダンス情報生成部３４８Ｂは、省エネルギーパラメータＸがしきい値Ｘth3より大きい（Ｘ＞Ｘth3）かどうかを確認する（ステップＳ４４６）。省エネルギーパラメータＸがしきい値Ｘth3より大きくない場合（ステップＳ４４６において“Ｎ”）には、ステップＳ４４８に進む。ステップＳ４４６において、省エネルギーパラメータＸがしきい値Ｘth3より大きい場合（ステップＳ４４６において“Ｙ”）には、ガイダンス情報生成部３４８Ｂは、初期設定情報ＩＳに基づいて、ガイダンス情報ＩＧに、“画像印刷”における“両面印刷”の設定値を“ＯＮ”に設定する旨の情報を追加する（ステップＳ４４７）。すなわち、ガイダンス情報生成部３４８Ｂは、省エネルギーパラメータＸがしきい値Ｘth3より大きい場合には、ユーザは省エネルギー意識が高いので、印刷枚数を少なくすべく、“両面印刷”の設定値を“ＯＮ”に設定する。例えば、ガイダンス情報生成部３４８Ｂは、初期設定情報ＩＳにおいて、“画像印刷”における“両面印刷”の設定値がすでに“ＯＮ”である場合には、ガイダンス情報ＩＧに、“両面印刷”の設定値を“ＯＮ”に設定する旨の情報を追加しない。そして、ステップＳ４４８に進む。
【０２８３】
次に、ガイダンス情報生成部３４８Ｂは、省エネルギーパラメータＸがしきい値Ｘth4より大きい（Ｘ＞Ｘth4）かどうかを確認する（ステップＳ４４８）。省エネルギーパラメータＸがしきい値Ｘth4より大きくない場合（ステップＳ４４８において“Ｎ”）には、ステップＳ４５０に進む。ステップＳ４４８において、省エネルギーパラメータＸがしきい値Ｘth4より大きい場合（ステップＳ４４８において“Ｙ”）には、ガイダンス情報生成部３４８Ｂは、初期設定情報ＩＳに基づいて、ガイダンス情報ＩＧに、“画像印刷”における“カラー設定”の設定値を“モノクロ”に設定する旨の情報を追加する（ステップＳ４４９）。すなわち、ガイダンス情報生成部３４８Ｂは、省エネルギーパラメータＸがしきい値Ｘth4より大きい場合には、ユーザは省エネルギー意識が高いので、カラートナーより低コストである黒色のトナーを使うべく、“カラー設定”の設定値を“モノクロ”に設定する。例えば、ガイダンス情報生成部３４８Ｂは、初期設定情報ＩＳにおいて“画像印刷”における“カラー設定”の設定値がすでに“モノクロ”である場合には、ガイダンス情報ＩＧに、“カラー設定”の設定値を“モノクロ”に設定する旨の情報を追加しない。そして、ステップＳ４５０に進む。
【０２８４】
次に、ガイダンス情報生成部３４８Ｂは、省エネルギーパラメータＸがしきい値Ｘth5より大きい（Ｘ＞Ｘth5）かどうかを確認する（ステップＳ４５０）。省エネルギーパラメータＸがしきい値Ｘth5より大きくない場合（ステップＳ４５０において“Ｎ”）には、ステップＳ４５２に進む。ステップＳ４５０において、省エネルギーパラメータＸがしきい値Ｘth5より大きい場合（ステップＳ４５０において“Ｙ”）には、ガイダンス情報生成部３４８Ｂは、初期設定情報ＩＳに基づいて、ガイダンス情報ＩＧに、“テキスト印刷”における“フォントサイズ”の設定値を“１２”に設定する旨の情報を追加する（ステップＳ４５１）。すなわち、ガイダンス情報生成部３４８Ｂは、省エネルギーパラメータＸがしきい値Ｘth5より大きい場合には、ユーザは省エネルギー意識が高いので、印刷枚数を少なくすべく、“フォントサイズ”を小さくする。例えば、ガイダンス情報生成部３４８Ｂは、初期設定情報ＩＳにおいて“テキスト印刷”における“フォントサイズ”の設定値がすでに“１２”である場合には、ガイダンス情報ＩＧに、“フォントサイズ”の設定値を“１２”に設定する旨の情報を追加しない。そして、ステップＳ４５２に進む。
【０２８５】
次に、ガイダンス情報生成部３４８Ｂは、省エネルギーパラメータＸがしきい値Ｘth6より大きい（Ｘ＞Ｘth6）かどうかを確認する（ステップＳ４５２）。省エネルギーパラメータＸがしきい値Ｘth5より大きくない場合（ステップＳ４５２において“Ｎ”）には、ステップＳ４５４に進む。ステップＳ４５２において、省エネルギーパラメータＸがしきい値Ｘth6より大きい場合（ステップＳ４５２において“Ｙ”）には、ガイダンス情報生成部３４８Ｂは、初期設定情報ＩＳに基づいて、ガイダンス情報ＩＧに、“テキスト印刷”における“行間”の設定値を“０．１”に設定する旨の情報を追加する（ステップＳ４５３）。すなわち、ガイダンス情報生成部３４８Ｂは、省エネルギーパラメータＸがしきい値Ｘth6より大きい場合には、ユーザは省エネルギー意識が高いので、印刷枚数を少なくすべく、“行間”の設定値を“０．１”に設定する。例えば、ガイダンス情報生成部３４８Ｂは、初期設定情報ＩＳにおいて“テキスト印刷”における“行間”の設定値がすでに“０．１”である場合には、ガイダンス情報ＩＧに、“行間”の設定値を“０．１”に設定する旨の情報を追加しない。
【０２８６】
このようにして、ガイダンス情報生成部３４８Ｂはガイダンス情報ＩＧを生成する。
【０２８７】
図３７は、このようにして生成したガイダンス情報ＩＧを提供する表示画像１７０の一例を表すものである。この例では、ユーザ設定情報ＩＵ３において、図３５に示したように、“パネルの明るさ”が“３０％”に設定され、“省電力モード”が“ＯＮ”に設定され、“表示停止までの時間”が“１５秒”に設定されている。よって、ガイダンス情報ＩＧは、この例では、“画像印刷”における“集約率”の設定値を“２ＵＰ”に設定する旨の情報、“画像印刷”における“トナーセーブ”の設定値を“ＯＮ”に設定する旨の情報、“画像印刷”における“両面印刷”の設定値を“ＯＮ”に設定する旨の情報、“画像印刷”における“カラー設定”の設定値を“モノクロ”に設定する旨の情報、“テキスト印刷”における“フォントサイズ”の設定値を“１２”に設定する旨の情報、および“テキスト印刷”における“行間”の設定値を“０．１”に設定する旨の情報を含んでいる。初期設定管理部３２８Ｃは、表示画像１７０を用いて、ユーザに対して、このガイダンス情報ＩＧに対応する提案を行う。具体的には、初期設定管理部３２８Ｃは、“画像印刷”における“集約率”の設定値を、現在の設定値である“１ＵＰ”から“２ＵＰ”に変更することを提案し、“画像印刷”における“トナーセーブ”の設定値を、現在の設定値である“ＯＦＦ”から“ＯＮ”に変更することを提案し、“画像印刷”における“両面印刷”の設定値を、現在の設定値である“ＯＦＦ”から“ＯＮ”に変更することを提案し、“画像印刷”における“カラー設定”の設定値を、現在の設定値である“カラー”から“モノクロ”に変更することを提案し、“テキスト印刷”における“フォントサイズ”の設定値を、現在の設定値である“１４”から“１２”に変更することを提案し、“テキスト印刷”における“行間”の設定値を、現在の設定値である“０．５”から“０．１”に変更することを提案する。
【０２８８】
以上のように、画像処理システム５では、ユーザ設定情報ＩＵ３に基づいて、省エネルギーの程度を示す省エネルギーパラメータＸを求め、この省エネルギーパラメータＸに基づいてガイダンス情報ＩＧを生成するようにした。具体的には、この省エネルギーパラメータＸを、各設定項目に対応するしきい値と比較し、そのしきい値を超えている場合に、対応する設定項目の設定値を変更できるようにした。このように、設定項目ごとにしきい値を設定することにより、省エネルギーパラメータＸに基づいて、より高い自由度で、各設定項目の設定値を変更することができる。具体的には、例えば、省エネルギーパラメータＸが高い場合と、やや高い場合と、かなり高い場合とで、変更可能な設定項目を異ならせることができる。また、ステップＳ４４０〜Ｓ４４３に示したように、省エネルギーパラメータＸに応じて、設定項目における提案する設定値を異ならせることができる。その結果、画像処理システム５では、各設定項目における設定値の提案の自由度を高めることができるので、ユーザの利便性を高めることができる。
【０２８９】
以上のように本実施の形態では、ユーザ設定情報に基づいて、省エネルギーの程度を示す省エネルギーパラメータを求め、この省エネルギーパラメータに基づいてガイダンス情報を生成するようにしたので、ユーザの利便性を高めることができる。
【０２９０】
＜６．第６の実施の形態＞
次に、第６の実施の形態に係る画像処理システム６について説明する。本実施の形態は、携帯端末にインストールされているアプリケーションプログラムについての情報をユーザ設定についての情報として用い、この情報に基づいてガイダンス情報ＩＧを生成するものである。なお、上記第４の実施の形態に係る画像処理システム４と実質的に同一の構成部分には同一の符号を付し、適宜説明を省略する。
【０２９１】
図３８は、画像処理システム６の一構成例を表すものである。画像処理システム６は、携帯端末３６０を備えている。携帯端末３６０は、制御部３６７と、記憶部３６６とを有している。
【０２９２】
制御部３６７は、携帯端末３６０における動作を制御するものである。携帯端末３６０には、オペレーティングシステムおよび複数のアプリケーションソフトウェアがインストールされている。オペレーティングシステムはソフトウェア管理部３６９を含んでいる。複数のアプリケーションソフトウェアは、アプリケーションソフトウェア３６８、写真系のアプリケーションソフトウェアＳＰ、およびテキスト系のアプリケーションソフトウェアＳＴを含む。アプリケーションソフトウェアＳＰは、主に写真画像を扱うアプリケーションソフトウェアであり、例えば写真管理ソフトウェアや、画像編集ソフトウェアなどである。アプリケーションソフトウェアＳＴは、主に文字を扱うアプリケーションソフトウェアであり、例えばメールソフトウェアや、ワードプロセッサソフトウェアなどである。
【０２９３】
ソフトウェア管理部３６９は、携帯端末３６０におけるアプリケーションソフトウェアのインストール処理やアンインストール処理を行うとともに、携帯端末３６０にインストールされている様々なソフトウェアを管理するものである。ソフトウェア管理部３６９は、携帯端末３６０にインストールされている様々なソフトウェアを、記憶部３６６に記憶されたソフトウェア管理情報ＩＭを用いて管理する。ソフトウェア管理情報ＩＭは、各ソフトウェアが写真系のアプリケーションソフトウェアＳＰであるかどうかについての情報や、テキスト系のアプリケーションソフトウェアＳＴであるかどうかについてもの情報を含む。携帯端末３６０にインストールされたアプリケーションソフトウェアは、ユーザが携帯端末３６０を使用しやすくするためにインストールしたものであり、いわゆるユーザ設定に係るものである。
【０２９４】
アプリケーションソフトウェア３６８は、ユーザの操作に基づいて、画像処理装置３１０に対して画像処理を指示するソフトウェアである。アプリケーションソフトウェア３６８は、ユーザ設定取得部３６８Ａと、ガイダンス情報生成部３６８Ｂとを有している。ユーザ設定取得部３６８Ａは、記憶部３６６に記憶されたソフトウェア管理情報ＩＭを取得するものである。ガイダンス情報生成部３６８Ｂは、ソフトウェア管理情報ＩＭおよび初期設定情報ＩＳに基づいてガイダンス情報ＩＧを生成するものである。具体的には、ガイダンス情報生成部３６８Ｂは、ソフトウェア管理情報ＩＭに基づいて、携帯端末３６０にインストールされている、写真系のアプリケーションソフトウェアＳＰのソフトウェア数ＮＳＰと、テキスト系のアプリケーションソフトウェアＳＴのソフトウェア数ＮＳＴとを調べ、これらのソフトウェア数ＮＳＰ，ＮＳＴに基づいてガイダンス情報ＩＧを生成するようになっている。
【０２９５】
記憶部３６６は、ソフトウェア管理情報ＩＭと、初期設定情報ＩＳとを記憶している。
【０２９６】
ここで、携帯端末３６０は、本発明における「情報処理端末」の一具体例に対応する。記憶部３６６は、本発明における「記憶部」の一具体例に対応する。制御部３６７は、本発明における「取得部」および「制御部」の一具体例に対応する。携帯端末３６０にインストールされたアプリケーションソフトウェアについての情報、およびソフトウェア管理情報ＩＭは、本発明における「端末設定情報」の一具体例に対応する。
【０２９７】
図３９は、ステップＳ４０４（図２７）におけるガイダンス情報ＩＧを生成する処理の一例を表すものである。
【０２９８】
まず、ガイダンス情報生成部３６８Ｂは、ソフトウェア管理情報ＩＭに基づいて、携帯端末３６０にインストールされている、写真系のアプリケーションソフトウェアＳＰのソフトウェア数ＮＳＰと、テキスト系のアプリケーションソフトウェアＳＴのソフトウェア数ＮＳＴとを調べる（ステップＳ４６１）。
【０２９９】
次に、ガイダンス情報生成部３６８Ｂは、テキスト系のアプリケーションソフトウェアＳＴのソフトウェア数ＮＳＴが、写真系のアプリケーションソフトウェアＳＰのソフトウェア数ＮＳＰの２倍よりも多い（ＮＳＴ＞２×ＮＳＰ）かどうかを確認する（ステップＳ４６２）。テキスト系のアプリケーションソフトウェアＳＴのソフトウェア数ＮＳＴが、写真系のアプリケーションソフトウェアＳＰのソフトウェア数ＮＳＰの２倍よりも多くない場合（ステップＳ４６２において“Ｎ”）には、ステップＳ４６４に進む。また、テキスト系のアプリケーションソフトウェアＳＴのソフトウェア数ＮＳＴが、写真系のアプリケーションソフトウェアＳＰのソフトウェア数ＮＳＰの２倍よりも多い場合（ステップＳ４６２において“Ｙ”）には、ガイダンス情報生成部３６８Ｂは、初期設定情報ＩＳに基づいて、ガイダンス情報ＩＧに、“画像印刷"における“ドキュメントタイプ”の設定値を“文字”に設定する旨の情報を追加する（ステップＳ４６３）。すなわち、ガイダンス情報生成部３６８Ｂは、テキスト系のアプリケーションソフトウェアＳＴのソフトウェア数ＮＳＴが、写真系のアプリケーションソフトウェアＳＰのソフトウェア数ＮＳＰの２倍よりも多い場合には、例えば、ユーザは、写真系のアプリケーションソフトウェアＳＰよりテキスト系のアプリケーションソフトウェアＳＴを用いて印刷を指示することが多いと判断し、“ドキュメントタイプ”の設定値を“文字”に設定する。例えば、ガイダンス情報生成部３６８Ｂは、初期設定情報ＩＳにおいて“画像印刷"における“ドキュメントタイプ”の設定値がすでに“文字”である場合には、ガイダンス情報ＩＧに、“ドキュメントタイプ”の設定値を“文字”に設定する旨の情報を追加しない。そして、ステップＳ４６４に進む。
【０３００】
次に、ガイダンス情報生成部３６８Ｂは、写真系のアプリケーションソフトウェアＳＰのソフトウェア数ＮＳＰが、テキスト系のアプリケーションソフトウェアＳＴのソフトウェア数ＮＳＴの２倍よりも多い（ＮＳＰ＞２×ＮＳＴ）かどうかを確認する（ステップＳ４６４）。写真系のアプリケーションソフトウェアＳＰのソフトウェア数ＮＳＰが、テキスト系のアプリケーションソフトウェアＳＴのソフトウェア数ＮＳＴの２倍よりも多くない場合（ステップＳ４６４において“Ｎ”）には、ステップＳ４６６に進む。また、写真系のアプリケーションソフトウェアＳＰのソフトウェア数ＮＳＰが、テキスト系のアプリケーションソフトウェアＳＴのソフトウェア数ＮＳＴの２倍よりも多い場合（ステップＳ４６４において“Ｙ”）には、ガイダンス情報生成部３６８Ｂは、初期設定情報ＩＳに基づいて、ガイダンス情報ＩＧに、“画像印刷"における“ドキュメントタイプ”の設定値を“写真”に設定する旨の情報を追加する（ステップＳ４６５）。すなわち、ガイダンス情報生成部３６８Ｂは、写真系のアプリケーションソフトウェアＳＰのソフトウェア数ＮＳＰが、テキスト系のアプリケーションソフトウェアＳＴのソフトウェア数ＮＳＴの２倍よりも多い場合には、例えば、ユーザは、テキスト系のアプリケーションソフトウェアＳＴより写真系のアプリケーションソフトウェアＳＰを用いて印刷を指示することが多いと判断し、“ドキュメントタイプ”の設定値を“写真”に設定する。例えば、ガイダンス情報生成部３６８Ｂは、初期設定情報ＩＳにおいて“画像印刷"における“ドキュメントタイプ”の設定値がすでに“写真”である場合には、ガイダンス情報ＩＧに、“ドキュメントタイプ”の設定値を“写真”に設定する旨の情報を追加しない。
【０３０１】
このようにして、ガイダンス情報生成部３６８Ｂはガイダンス情報ＩＧを生成する。
【０３０２】
図３７は、このようにして生成したガイダンス情報ＩＧを提供する表示画像１８０の一例を表すものである。この例は、テキスト系のアプリケーションソフトウェアＳＴのソフトウェア数ＮＳＴが、写真系のアプリケーションソフトウェアＳＰのソフトウェア数ＮＳＰの２倍よりも多い場合を示す。よって、ガイダンス情報ＩＧは、この例では、“画像印刷”における“ドキュメントタイプ”の設定値を“文字”に設定する旨の情報を含んでいる。初期設定管理部３２８Ｃは、“画像印刷”における“ドキュメントタイプ”の設定値を、現在の設定値である“写真”から“文字”に変更することを提案する。
【０３０３】
以上のように、画像処理システム６では、携帯端末３６０にインストールされたアプリケーションソフトウェアに基づいて、ガイダンス情報ＩＧを生成するようにした。具体的には、この例では、ソフトウェア管理情報ＩＭに基づいてガイダンス情報ＩＧを生成するようにした。携帯端末３６０にインストールされたアプリケーションソフトウェアは、ユーザが携帯端末３６０を使用しやすくするためにインストールしたものであり、いわゆるユーザ設定に係るものである。画像処理システム６では、このようなユーザ設定についての情報に基づいて、各設定項目の設定値を変更することができるので、ユーザの利便性を高めることができる。
【０３０４】
以上のように本実施の形態では、携帯端末にインストールされたアプリケーションソフトウェアに基づいて、ガイダンス情報を生成するようにしたので、ユーザの利便性を高めることができる。
【０３０５】
［変形例６］
上記実施の形態では、携帯端末３６０にインストールされたアプリケーションソフトウェアに基づいて、ガイダンス情報ＩＧを生成するようにしたが、これに限定されるものではない。これに代えて、例えば、携帯端末３６０に記憶されたファイルに基づいて、ガイダンス情報ＩＧを生成してもよい。具体的には、携帯端末３６０は、ダウンロードしたファイルを格納するダウンロードフォルダや、撮影した写真を格納するフォルダなどの所定のフォルダに格納されたファイルに基づいて、写真系のファイルの数とテキスト系のファイルの数を調べ、これらの数に基づいて、ガイダンス情報ＩＧを生成することができる。また、例えば、ＷＥＢの閲覧履歴に基づいてガイダンス情報ＩＧを生成してもよい。具体的には、携帯端末３６０は、写真系のＷＥＢページを閲覧した回数と、テキスト系のＷＥＢページを閲覧した回数を調べ、これらの回数に基づいてガイダンス情報ＩＧを生成することができる。
【０３０６】
以上、いくつかの実施の形態および変形例を挙げて本技術を説明したが、本技術はこれらの実施の形態等には限定されず、種々の変形が可能である。
【０３０７】
例えば、上記の実施の形態等では、本技術を多機能周辺装置である画像処理装置に適用したが、これに限定されるものではなく、これに代えて、単機能のコピー機、プリンタ、スキャナ、ファクシミリなどに適用してもよい。
【符号の説明】
【０３０８】
１〜６…画像処理システム、９…アクセスポイント、１０，１０Ａ，３０，６０，３１０…画像処理装置、１１…無線ネットワーク通信部、１２…ＮＦＣリーダライタ、１３…ＦＡＸ通信部、１４…表示操作部、１５…画像読取部、１６…画像形成部、１７，３７，６７，３１７…制御部、１７Ａ，６７Ａ…ＲＡＭ、１７Ｂ…ジョブ設定情報送受信部、２０，４０，７０，３２０，３４０，３６０…携帯端末、２１…無線ネットワーク通信部、２２…ＮＦＣ通信部、２３…電話通信部、２４…表示操作部、２５…音声入出力部、２６，４６，７６，３２６，３４６，３６６…記憶部、２７，４７，７７，３２７，３４７，３６７…制御部、２７Ａ…ジョブ設定情報送受信部、２７Ｂ…ガイダンス情報生成部、３７Ａ…ＲＡＭ、３７Ｂ…情報送受信部、３７Ｃ…ガイダンス情報生成部、３８…記憶部、４７Ａ…情報送受信部、５０…サーバ、５１…ネットワーク通信部、５２…記憶部、５３…制御部、５３Ａ…印刷データ送受信部、６７Ｄ…印刷データ送受信部、１００，１１０，１２０，１３０，１４０，１５０，１６０，１６０Ａ，１７０，１８０，２００…表示画像、１０１…メッセージ表示フィールド、１０２…選択肢表示フィールド、１０２Ａ…プルダウンボックス、１０２Ｂ…ラジオボタン、１０３…“決定”ボタン、１６１…チェックボックス、１６２…“変更する”ボタン、１６３…“変更しない”ボタン、１６４…プルダウンボックス、２０１…ジョブ一覧表示フィールド、２０１Ａ…ラジオボタン、２０２…“選択”ボタン、３２８，３４８，３６８…アプリケーションソフトウェア、３２８Ａ，３４８Ａ，３６８Ａ…ユーザ設定取得部、３２８Ｂ，３４８Ｂ，３６８Ｂ…ガイダンス情報生成部、３２８Ｃ…初期設定管理部、３２８Ｄ…画像処理指示部、３２９，３６９…ソフトウェア管理部、ＣＬ…コンタクトリスト、ＤＰ…印刷データ、ＤＴ…画像データ、ＩＧ…ガイダンス情報、ＩＪ，ＩＪ２…ジョブ設定情報、ＩＮＥＴ…インターネット、ＩＰ…印刷設定情報、ＩＳ…初期設定情報、ＩＵ，ＩＵ２，ＩＵ３…ユーザ設定情報、ＪＬ…ジョブリスト、Ｌ１…リスク抽出リスト、Ｌ２…要求判定リスト、Ｌ３…ガイダンスリスト、ＮＳＰ，ＮＳＴ…ソフトウェア数、ＳＰ，ＳＴ…アプリケーションソフトウェア、ＷＮＦＣ…近距離無線通信、ＷＬＡＮ…無線ネットワーク通信、Ｘ…省エネルギーパラメータ、Ｘth1，Ｘth11，Ｘth2，Ｘth3，Ｘth4，Ｘth5，Ｘth6…しきい値。
【図１】
2019164740.tif 000003
【図２】
2019164740.tif 000004
【図３】
2019164740.tif 000005
【図４】
2019164740.tif 000006
【図５】
2019164740.tif 000007
【図６】
2019164740.tif 000008
【図７Ａ】
2019164740.tif 000009
【図７Ｂ】
2019164740.tif 000010
【図８Ａ】
2019164740.tif 000011
【図８Ｂ】
2019164740.tif 000012
【図８Ｃ】
2019164740.tif 000013
【図９】
2019164740.tif 000014
【図１０】
2019164740.tif 000015
【図１１】
2019164740.tif 000016
【図１２】
2019164740.tif 000017
【図１３】
2019164740.tif 000018
【図１４】
2019164740.tif 000019
【図１５】
2019164740.tif 000020
【図１６】
2019164740.tif 000021
【図１７】
2019164740.tif 000022
【図１８】
2019164740.tif 000023
【図１９Ａ】
2019164740.tif 000024
【図１９Ｂ】
2019164740.tif 000025
【図２０】
2019164740.tif 000026
【図２１】
2019164740.tif 000027
【図２２】
2019164740.tif 000028
【図２３Ａ】
2019164740.tif 000029
【図２３Ｂ】
2019164740.tif 000030
【図２３Ｃ】
2019164740.tif 000031
【図２４】
2019164740.tif 000032
【図２５】
2019164740.tif 000033
【図２６】
2019164740.tif 000034
【図２７】
2019164740.tif 000035
【図２８】
2019164740.tif 000036
【図２９】
2019164740.tif 000037
【図３０】
2019164740.tif 000038
【図３１】
2019164740.tif 000039
【図３２】
2019164740.tif 000040
【図３３】
2019164740.tif 000041
【図３４】
2019164740.tif 000042
【図３５】
2019164740.tif 000043
【図３６Ａ】
2019164740.tif 000044
【図３６Ｂ】
2019164740.tif 000045
【図３６Ｃ】
2019164740.tif 000046
【図３７】
2019164740.tif 000047
【図３８】
2019164740.tif 000048
【図３９】
2019164740.tif 000049
【図４０】
2019164740.tif 000050